(57)【特許請求の範囲】
【請求項１】
ＩＣカードを収納する収納部を有する絶縁性のハウジングと、前記ＩＣカードに設けられた接続端子に対応して前記収納部内に配置された複数のコンタクトと、前記収納部を覆うように倒れた覆蓋姿勢と前記収納部に対して起立した起立姿勢との間を回動可能に前記ハウジングの前端に設けられるカバーと、を備えたコネクタであって、
前記ハウジングには、前記カバーの前方に形成された回動軸を回動可能に支持する支持部と、該支持部と連続し前記ハウジングの後方に向かうにつれて下方に向かって延びる第１傾斜溝と、該第１傾斜溝と連続し前記ハウジングの前後方向に延びる第１水平溝とを有する第１案内溝が形成されるとともに、前記ハウジングの上端に開口する挿入部と、前記挿入部と連続し前記後方に向かうにつれて下方に向かって延びる第２傾斜溝と、該第２傾斜溝と連続し前記前後方向に延びる第２水平溝とを有する第２案内溝が少なくとも一対形成され、
前記カバーには、前記回動軸と平行に突出し前記カバーが覆蓋姿勢の状態で前記挿入部にそれぞれ挿入されるガイドリブが形成され、
前記カバーは、前記第１及び第２案内溝に沿って移動可能に設けられたことを特徴とするコネクタ。
【請求項２】
前記カバーは、前記ハウジングの上下方向と直交した状態で前記第１及び第２案内溝に沿って移動可能に設けられ、
前記収納部には、前記ＩＣカードが前記上下方向と直交した状態で収納されることを特徴とする請求項１に記載のコネクタ。
【請求項３】
前記回動軸が前記第１水平溝に挿入されるとともに前記ガイドリブが前記第２水平溝に挿入された状態の前記カバーに係止し、該カバーが前記第１及び第２傾斜溝側に向かって移動することを規制するロック機構を備えたことを特徴とする請求項１又は２に記載のコネクタ。
【請求項４】
前記ロック機構は鋼板により形成され、
前記ハウジングの左右方向中央に固定されるロック支持部と、
前記ロック支持部の左右方向両端部からそれぞれ前記ハウジングの左右方向端部側に延び、前記カバーの移動により上下方向に弾性変形可能であるとともに、前記回動軸及び前記ガイドリブがそれぞれ前記第１及び第２水平溝内に挿入された状態における前記カバーの前側端部に係止するロックアームと、
を備えたことを特徴とする請求項３に記載のコネクタ。
【請求項５】
前記ハウジングには、左右方向に沿ったスリットが形成され、
前記ロックアームの先端部には、下方に向かって延び前記スリットに挿入される補強部がそれぞれ形成されたことを特徴とする請求項４に記載のコネクタ。
【請求項６】
前記ハウジングに固定され、プリント基板上に半田付けされる半田付け部を備えたことを特徴とする請求項１〜５のうちの何れか一項に記載のコネクタ。
【請求項７】
前記支持部には、該支持部における前記第１傾斜溝側にて上方に突出し前記回動軸の移動によって上下方向に移動可能な規制突部を有する軸受け機構が設けられたことを特徴とする請求項１〜６のうちの何れか一項に記載のコネクタ。
【請求項８】
前記軸受け機構は鋼板により形成され、
前記ハウジングの左右方向中央に固定される軸受け支持部と、
前記軸受け支持部の左右方向両端部からそれぞれ前記ハウジングの左右方向端部側に延び、上下方向に弾性変形可能な軸受けアームと、
前記軸受けアームの先端部からそれぞれ上方に延びるとともに前記支持部に配置され、上端に前記規制突部が形成された軸受け部と、
を備えたことを特徴とする請求項７に記載のコネクタ。
【請求項９】
前記半田付け部は前記軸受け支持部であり、
前記ロック機構と前記軸受け機構とが一体形成されたことを特徴とする請求項８に記載のコネクタ。
【請求項１０】
前記ハウジングの底部には、該底部の上下方向両側に開口したコンタクト保持溝が複数形成され、
前記コンタクトは、
プリント基板上に固定される基端部と、
前記基端部から上方に延びる固定部と、
前記固定部の上端から該固定部と直交する方向に延び、先端が上下方向に弾性変形可能に形成されたアーム部と、
前記アーム部の先端に形成され前記接続端子と接触する接触部と、を備え、
前記固定部が前記ハウジングの上方から前記コンタクト保持溝に圧入されることを特徴とする請求項１〜９のうちの何れか一項に記載のコネクタ。
【請求項１１】
前記ハウジングには、該ハウジングの上端に開口する第１垂直溝が形成され、
前記第１垂直溝内には、前記ハウジングの左右方向内側に突出する係止爪を有する係止部材が前記左右方向に弾性変形可能に設けられるとともに、前記係止爪の下方に前記支持部が設けられ、
前記カバーは、前記回動軸が該支持部と該係止爪との間に挿抜されることで前記ハウジングに対して着脱可能であることを特徴とする請求項１〜１０のうちの何れか一項に記載のコネクタ。
【請求項１２】
前記係止爪の上面は、該係止爪の基端側から先端側に向かって突出するように傾斜したテーパ状に形成され、
前記係止爪の下面は、前記カバーが着脱される方向と直交する平面状に形成されたことを特徴とする請求項１１に記載のコネクタ。
【請求項１３】
前記ハウジングには、該ハウジングの上端に開口する第２垂直溝が少なくとも一対形成され、
前記第２垂直溝内には、前記ハウジングの左右方向内側に突出する係止爪を有する係止部材が前記左右方向に弾性変形可能に設けられるとともに、前記係止爪の下方に支持壁が設けられ、
前記ガイドリブが前記支持壁と前記係止爪との間に挿入されることを特徴とする請求項１〜１２のうちの何れか一項に記載のコネクタ。
【請求項１４】
前記係止爪の上面及び下面は、該係止爪の基端側から先端側に向かって突出するように傾斜したテーパ状にそれぞれ形成されたことを特徴とする請求項１３に記載のコネクタ。
【請求項１５】
ＩＣカードを収納する収納部を有する絶縁性のハウジングと、前記ＩＣカードに設けられた接続端子に対応して前記収納部内に配置された複数のコンタクトと、前記収納部を覆うように倒れた覆蓋姿勢と前記収納部に対して起立した起立姿勢との間を回動可能に前記ハウジングに設けられるカバーと、を備えたコネクタであって、
前記カバーの前端には、前記ハウジングの前方に形成された回動軸を回動可能に支持する支持部と、該支持部と連続し該支持部から前記カバーの前方に向かうにつれて上方に向かって延びる第１傾斜溝と、該第１傾斜溝と連続し前記ハウジングの前後方向に延びる第１水平溝とを有する第１案内溝が形成されるとともに、前記カバーの下端に開口する挿入部と、前記挿入部と連続し前記前方に向かうにつれて上方に向かって延びる第２傾斜溝と、該第２傾斜溝と連続し前記前後方向に延びる第２水平溝とを有する第２案内溝が少なくとも一対形成され
前記ハウジングには、前記回動軸と平行に突出し前記カバーが覆蓋姿勢の状態で前記挿入部にそれぞれ挿入されるガイドリブが形成され、
前記カバーが前記第１及び第２案内溝に沿って移動可能に設けられたことを特徴とするコネクタ。
【請求項１６】
ＩＣカードを収納する収納部を有する絶縁性のハウジングと、前記ＩＣカードに設けられた接続端子に対応して前記収納部内に配置された複数のコンタクトと、前記収納部を覆うカバーと、を備えたコネクタであって、
前記ハウジングは、左右一対の案内溝が複数対形成され、各案内溝は、前記ハウジングの上端に開口する挿入部と、前記挿入部と連続し前記ハウジングの後方に向かうにつれて下方に向かって延びる傾斜溝と、該傾斜溝と連続し前記ハウジングの前後方向に延びる水平溝とを有し、
前記カバーには、前記案内溝にそれぞれ挿入されるガイドリブが形成され、
前記カバーは、前記案内溝に沿って移動可能に設けられたことを特徴とするコネクタ。
【請求項１７】
前記カバーは、前記ハウジングの上下方向と直交した状態で前記案内溝に沿って移動可能に設けられ、
前記収納部には、前記ＩＣカードが前記上下方向と直交した状態で収納されることを特徴とする請求項１６に記載のコネクタ。
【請求項１８】
前記ガイドリブが水平溝に挿入された状態の前記カバーと係合し、該カバーが傾斜溝側に向かって移動することを規制するロック機構を備えたことを特徴とする請求項１６又は１７に記載のコネクタ。
【請求項１９】
前記ロック機構は鋼板により形成され、
前記ハウジングの左右方向中央に固定されるロック支持部と、
前記ロック支持部の左右方向両端部からそれぞれ前記ハウジングの左右方向端部側に延び、前記カバーの移動により上下方向に弾性変形可能であるとともに、前記ガイドリブがそれぞれ前記水平溝内に挿入された状態における前記カバーの前側端部に係止するロックアームと、
を備えたことを特徴とする請求項１８に記載のコネクタ。
【請求項２０】
前記ハウジングには、左右方向に沿ったスリットが形成され、
前記ロックアームの先端部には、下方に向かって延び前記スリットに挿入される補強部がそれぞれ形成されたことを特徴とする請求項１９に記載のコネクタ。
【請求項２１】
前記ハウジングの底部には、該底部の上下方向両側に開口したコンタクト保持溝が複数形成され、
前記コンタクトは、
プリント基板上に固定される基端部と、
前記基端部から上方に延びる固定部と、
前記固定部の上端から該固定部と直交する方向に延び、先端が上下方向に弾性変形可能に形成されたアーム部と、
前記アーム部の先端に形成され前記接続端子と接触する接触部と、を備え、
前記固定部が前記ハウジングの上方から前記コンタクト保持溝に圧入されることを特徴とする請求項１６〜２０のうちの何れか一項に記載のコネクタ。
【請求項２２】
前記カバーには、前記ロック機構による前記カバーのロックを解除する治具が挿入される開錠溝が形成されてなることを特徴とする請求項３〜５，１８〜２０のうちの何れか１項に記載のコネクタ。
【請求項２３】
前記カバーには、前記ロックアームを前記ハウジングに向って押し下げることにより前記カバーのロックを解除する治具が挿入される開錠溝が形成されてなることを特徴とする請求項４，５，１９，２０のうちの何れか１項に記載のコネクタ。
【請求項２４】
ＩＣカードを収納する収納部を有する絶縁性のハウジングと、前記ＩＣカードに設けられた接続端子に対応して前記収納部内に配置された複数のコンタクトと、前記収納部を覆うカバーと、を備え、
前記ハウジングは、前記カバーに形成されたガイドリブが挿入される左右一対の案内溝が複数対形成され、各案内溝は、前記ハウジングの上端に開口する挿入部と、前記挿入部と連続し前記ハウジングの後方に向かうにつれて下方に向かって延びる傾斜溝と、該傾斜溝と連続し前記ハウジングの前後方向に延びる水平溝とを有し、
前記ガイドリブが水平溝に挿入された状態の前記カバーと係合し、該カバーが傾斜溝側に向かって移動することを規制するロック機構を備えたコネクタに対して用いられる治具であって、
前記ハウジングの上面に当接される本体部と、
前記本体部に形成され、前記ロック機構と前記カバーとの係合を解除する爪部と、
前記爪部を前記ロック機構に案内するガイド部と、
を有することを特徴とする治具。
【請求項２５】
前記ロック機構は鋼板により形成され、
前記ハウジングの左右方向中央に固定されるロック支持部と、
前記ロック支持部の左右方向両端部からそれぞれ前記ハウジングの左右方向端部側に延び、前記カバーの移動により上下方向に弾性変形可能であるとともに、前記ガイドリブが前記水平溝内に挿入された状態における前記カバーの前側端部に係止するロックアームと、
を備え、
前記爪部は、前記ガイド部の案内によって前記ロックアームを前記ハウジングに押し下げるように形成されてなること、を特徴とする請求項２４に記載の治具。
【請求項２６】
前記カバーには、前記爪部が挿入される開錠溝が形成され、
前記爪部は、
前記ロックアームを押し下げる斜面と、
前記斜面に押し下げられたロックアームをその押し下げられた位置で保持するロック解除部と、を有することを特徴とする請求項２５に記載の治具。
【請求項２７】
前記本体部から斜め上方に向って延びる把持部と、
前記把持部の先端から前記本体部に向って延び、ロックが解除された前記カバーと係合可能なカバー押出部とを有すること、を特徴とする請求項２４〜２６のうちの何れか１項に記載の治具。
【請求項２８】
前記本体部には、前記ハウジングの上面と対向する下面から突出するように支持されるとともにバネにより前記下面から突出する方向に付勢された押し爪を有し、前記押し爪は前記カバーのロックを解除した位置で前記下面から突出して前記本体部を前記ガイド部による案内方向と逆方向に移動させる際に前記カバーの外側面と係合すること、を特徴とする請求項２４〜２６のうちの何れか１項に記載の治具。
【発明の詳細な説明】
【技術分野】
【０００１】
本発明は、ＩＣカード等のカードを装着可能なコネクタ、及びこのコネクタに好適な治具に関する。
【背景技術】
【０００２】
従来、ＣＰＵやメモリなどを内包するＩＣカードをプリント基板などの外部回路に接続するためのコネクタがある。この種のコネクタとして、ＩＣカードを収納する収納部を有する絶縁性のハウジングと、ＩＣカードに設けられた接続端子に対応して収納部内に配置された複数のコンタクトと、ハウジングに対して収納部を覆うように倒れた覆蓋姿勢と収納部に対して起立した起立姿勢との間を回動可能に設けられたカバーとを備えたものがある（特許文献１参照）。そして、特許文献１のコネクタでは、ＩＣカードの接続端子とコンタクトとの接触を確保するため、カバーが覆蓋姿勢の状態でハウジングの前後方向に相対移動し、ハウジング及びカバーにそれぞれ形成された係合部材が互いに係合することで、ＩＣカードを下方に押し付けた状態でカバーが回動することを規制しＩＣカードを保持している。
【特許文献１】特開２００７−３０５５２３号公報
【発明の開示】
【発明が解決しようとする課題】
【０００３】
ところで、上記特許文献１のコネクタでは、ＩＣカードを下方へ押し付けることで各コンタクトが撓んだ状態で接触するため、各コンタクトの弾性力によってカバーが上方に付勢される。しかしながら、上記コネクタでは、ハウジング及びカバーに形成された係合部材が互いに係合しているのみであるため、該係合部材に各コンタクトの弾性力が集中してしまい、その結果、係合状態が解除されてＩＣカードを保持できなくなる虞がある。
【０００４】
本発明は、上記課題を解決するためになされたものであって、その目的は、ＩＣカードをハウジングの下方に押し付けた状態で確実に保持することができるコネクタ、及びこのコネクタに好適な治具を提供することにある。
【課題を解決するための手段】
【０００５】
上記課題を解決するために、請求項１に記載の発明は、ＩＣカードを収納する収納部を有する絶縁性のハウジングと、前記ＩＣカードに設けられた接続端子に対応して前記収納部内に配置された複数のコンタクトと、前記収納部を覆うように倒れた覆蓋姿勢と前記収納部に対して起立した起立姿勢との間を回動可能に前記ハウジングの前端に設けられるカバーと、を備えたコネクタであって、前記ハウジングには、前記カバーの前方に形成された回動軸を回動可能に支持する支持部と、該支持部と連続し前記ハウジングの後方に向かうにつれて下方に向かって延びる第１傾斜溝と、該第１傾斜溝と連続し前記ハウジングの前後方向に延びる第１水平溝とを有する第１案内溝が形成されるとともに、前記ハウジングの上端に開口する挿入部と、前記挿入部と連続し前記後方に向かうにつれて下方に向かって延びる第２傾斜溝と、該第２傾斜溝と連続し前記前後方向に延びる第２水平溝とを有する第２案内溝が少なくとも一対形成され、前記カバーには、前記回動軸と平行に突出し前記カバーが覆蓋姿勢の状態で前記挿入部にそれぞれ挿入されるガイドリブが形成され、前記カバーは、前記第１及び第２案内溝に沿って移動可能に設けられてなる。
【０００６】
この構成によれば、覆蓋姿勢のカバーが第１及び第２傾斜溝に沿って移動することで該カバーがハウジングの下方へ移動し、該カバーによって収納部内に収納されたＩＣカードがコンタクトに押し付けられた状態で接触する。そして、回動軸が第１水平溝に挿入されるとともに、ガイドリブが第２水平溝内に挿入されることで、カバーが各コンタクトの弾性力により上方に付勢されてもカバーが移動せず、ＩＣカードがコンタクトに押し付けられた状態でコネクタに保持される。このように、第１及び第２水平溝内にそれぞれ挿入された回動軸及びガイドリブによってカバーが回動することが規制されるため、各コンタクトの弾性力が回動軸及びガイドリブに集中しても、従来のように係合状態が解除されるといったことがなく、確実にＩＣカードをハウジングの下方に押し付けた状態で保持することができる。
【０００７】
請求項２に記載の発明は、請求項１に記載のコネクタにおいて、前記カバーは、前記ハウジングの上下方向と直交した状態で前記第１及び第２案内溝に沿って移動可能に設けられ、前記収納部には、前記ＩＣカードが前記上下方向と直交した状態で収納されてなる。この構成によれば、収容溝にハウジングの上下方向に直交した状態で収納されるＩＣカードにカバーの全面が同時に接触し、ＩＣカードがすべてのコンタクトと接触した状態で下方に押し付けられる。従って、従来のように回動時にカバーがＩＣカードの一部のみに接触しＩＣカードが一部のコンタクトにのみ接触した状態で下方に押し付けられることが防止できる。そのため、コンタクトの接触部が接続端子に摺動することでコンタクトと接続端子間に介在する塵等の異物を除去する所謂ワイピングがＩＣカードの全端子について行われ、ＩＣカードの接触不良を防止することができる。
【０００８】
請求項３に記載の発明は、請求項１又は２に記載のコネクタにおいて、前記回動軸が前記第１水平溝に挿入されるとともに前記ガイドリブが前記第２水平溝に挿入された状態の前記カバーに係止し、該カバーが前記第１及び第２傾斜溝側に向かって移動することを規制するロック機構を備えてなる。設置場所によってはコネクタに対して恒常的に振動が伝達される場合があり、この振動等によって第１水平溝に挿入された回動軸と第２水平溝に挿入されたガイドリブがそれぞれ第１及び第２傾斜溝まで移動し、ＩＣカードを保持できなくなる場合がある。この点、この構成によれば、回動軸及びガイドリブがそれぞれ第１及び第２傾斜溝側に移動することがロック機構により規制されるため、振動などによりカバーが移動してＩＣカードが保持できなくなることを防止できる。また、ロック機構は、カバーの後方への移動を規制するため、コンタクトの弾性力が作用せず、長期に亘って使用しても損傷し難く、確実にカバーの移動を規制できる。
【０００９】
請求項４に記載の発明は、請求項３に記載のコネクタにおいて、前記ロック機構は鋼板により形成され、前記ハウジングの左右方向中央に固定されるロック支持部と、前記ロック支持部の左右方向両端部からそれぞれ前記ハウジングの左右方向端部側に延び、前記カバーの移動により上下方向に弾性変形可能であるとともに、前記回動軸及び前記ガイドリブがそれぞれ前記第１及び第２水平溝内に挿入された状態における前記カバーの前側端部に係止するロックアームと、を備えてなる。この構成によれば、カバーが第１及び第２傾斜溝内に沿って移動する際に、該カバーによりロックアームが下方に弾性変形し、回動軸が第１水平溝に挿入されるとともにガイドリブが第２水平溝内に挿入されると、ロックアームが元の位置に戻ることでカバーに係止しその移動を規制する。そして、ロック機構が鋼板により形成されているため、例えば樹脂材料等に比べ、ロックアームが繰り返し弾性変形しても破損し難く強度を向上させることができる。
【００１０】
請求項５に記載の発明は、請求項４に記載のコネクタにおいて、前記ハウジングには、左右方向に沿ったスリットが形成され、前記ロックアームの先端部には、下方に向かって延び前記スリットに挿入される補強部がそれぞれ形成されてなる。この構成によれば、補強部がスリットに収容されることでロックアームが前後方向に変形し難くなるため、カバーを確実にロックすることができる。
【００１１】
請求項６に記載の発明は、請求項１〜５のうちの何れか一項に記載のコネクタにおいて、前記ハウジングに固定され、プリント基板上に半田付けされる半田付け部を備えてなる。この構成によれば、半田付け部がプリント基板上に半田付けされることで、確実にコネクタをプリント基板上に固定できる。
【００１２】
請求項７に記載の発明は、請求項１〜６のうちの何れか一項に記載のコネクタにおいて、前記支持部には、該支持部における前記第１傾斜溝側にて上方に突出し前記回動軸の移動によって上下方向に移動可能な規制突部を有する軸受け機構が設けられてなる。この構成によれば、回動軸が規制突部を下方に押し下げることで、回動軸が支持部と第１傾斜溝との間を移動する際に操作感（クリック感）が生じ、回動軸が支持部に挿入された状態か又は第１傾斜溝に挿入された状態かを容易に把握することができる。これにより、例えば回動軸が第１傾斜溝に挿入された状態、即ちガイドリブが第２傾斜溝に挿入された状態でカバーを回動させようとする等の誤操作を防止できる。
【００１３】
請求項８に記載の発明は、請求項７に記載のコネクタにおいて、前記軸受け機構は鋼板により形成され、前記ハウジングの左右方向中央に固定される軸受け支持部と、前記軸受け支持部の左右方向両端部からそれぞれ前記ハウジングの左右方向端部側に延び、上下方向に弾性変形可能な軸受けアームと、前記軸受けアームの先端部からそれぞれ上方に延びるとともに前記支持部に配置され、上端に前記規制突部が形成された軸受け部と、を備えてなる。この構成によれば、軸受けアームが弾性変形することで規制突部が上下方向に移動し、例えば樹脂材料により軸受け機構を形成した場合に比べ、軸受けアームが繰り返し弾性変形しても破損し難く強度を向上させることができる。
【００１４】
請求項９に記載の発明は、請求項８に記載のコネクタにおいて、前記半田付け部は前記軸受け支持部であり、前記ロック機構と前記軸受け機構とが一体形成されてなる。この構成によれば、半田付け部、ロック機構及び軸受け機構をそれぞれ別部材にて形成する場合に比べ、部品点数を削減できる。また、軸受けアームが直立部の上端に形成されているため、軸受けアームが弾性変形しても軸受けアームがプリント基板に接触することを防止できる。
【００１５】
請求項１０に記載の発明は、請求項１〜９のうちの何れか一項に記載のコネクタにおいて、前記ハウジングの底部には、該底部の上下方向両側に開口したコンタクト保持溝が複数形成され、前記コンタクトは、プリント基板上に固定される基端部と、前記基端部から上方に延びる固定部と、前記固定部の上端から該固定部と直交する方向に延び、先端が上下方向に弾性変形可能に形成されたアーム部と、前記アーム部の先端に形成され前記接続端子と接触する接触部と、を備え、前記固定部が前記ハウジングの上方から前記コンタクト保持溝に圧入されてなる。この構成によれば、ＩＣカードの挿入時等にコンタクトに衝撃が加わっても、アーム部がハウジングの底部に当接することで、コンタクトがハウジングから抜けることが防止できる。
【００１６】
請求項１１に記載の発明は、請求項１〜１０のうちの何れか一項に記載のコネクタにおいて、前記ハウジングには、該ハウジングの上端に開口する第１垂直溝が形成され、前記第１垂直溝内には、前記ハウジングの左右方向内側に突出する係止爪を有する係止部材が前記左右方向に弾性変形可能に設けられるとともに、前記係止爪の下方に前記支持部が設けられ、前記カバーは、前記回動軸が該支持部と該係止爪との間に挿抜されることで前記ハウジングに対して着脱可能である。この構成によれば、ユーザが工具などを用いることなく、係止部材を弾性変形させることでカバーをハウジングに対して容易に着脱できる。また、カバーをハウジングに取り付けた状態では、係止部材によって回動軸が支持部から外れることが防止されるため、コネクタの搬送時等にハウジングからカバーが外れることを防止できる。従って、カバーとハウジングとが一体にされた状態でユーザに提供される所謂１ピースタイプ及びカバーとハウジングとが別々の状態でユーザに提供される所謂２ピースタイプのコネクタのいずれのコネクタとしてもユーザに供給することが可能である。そのため、１ピースタイプ及び２ピースタイプのコネクタを製造するためにそれぞれ製造ラインを設けずともよく、１つの製造ラインで１ピースタイプ及び２ピースタイプのコネクタを製造でき、それぞれ異なる製造ラインで各コネクタを製造する場合に比べ、コストの増大を抑制できる。
【００１７】
請求項１２に記載の発明は、請求項１１に記載のコネクタにおいて、前記係止爪の上面は、該係止爪の基端側から先端側に向かって突出するように傾斜したテーパ状に形成され、前記係止爪の下面は、前記カバーが着脱される方向と直交する平面状に形成されてなる。この構成によれば、回動軸を係止爪の上面に押し付けると、該上面がテーパ状に形成されているために係止部材が左右方向外側に弾性変形し、該回動軸を容易に係止爪と支持部との間に挿入することができる。また、下面がカバーの着脱される方向と直交する平面状に形成されているため、回動軸が係止爪と支持部との間に挿入されたカバーを引き上げても、係止部材が左右方向外側に弾性変形し難く、カバーが外れずに確実に１ピースタイプのコネクタとしてユーザに供給することができる。
【００１８】
請求項１３に記載の発明は、請求項１〜１２のうちの何れか一項に記載のコネクタにおいて、前記ハウジングには、該ハウジングの上端に開口する第２垂直溝が少なくとも一対形成され、前記第２垂直溝内には、前記ハウジングの左右方向内側に突出する係止爪を有する係止部材が前記左右方向に弾性変形可能に設けられるとともに、前記係止爪の下方に支持壁が設けられ、前記ガイドリブが前記支持壁と前記係止爪との間に挿入されるようになっている。この構成によれば、カバーを覆蓋姿勢にした状態でガイドリブが支持壁と係止爪との間に挿入されるため、例えばコンタクトの弾性力などによってカバーが回動することを防止できる。そのため、ＩＣカードの装着時にカバーが意図せず回動することを防止でき、その作業性を向上させることができる。
【００１９】
請求項１４に記載の発明は、請求項１３に記載のコネクタにおいて、前記係止爪の上面及び下面は、該係止爪の基端側から先端側に向かって突出するように傾斜したテーパ状にそれぞれ形成されてなる。この構成によれば、ガイドリブを係止爪の上面に押し付けると、該上面がテーパ状に形成されているために係止部材が左右方向外側に弾性変形し、該ガイドリブが第２垂直溝に挿入されて係止爪と挿入部との間に挿入することができる。また、同様に、ガイドリブが係止爪と挿入部との間に挿入された状態でカバーを回動させると、係止部材が左右方向外側に弾性変形してカバーを取り外すことができる。従って、ＩＣカードの装着時にカバーが意図せず回動することを防止でき、且つ容易にカバーを回動させることができる。
【００２０】
請求項１５に記載の発明は、ＩＣカードを収納する収納部を有する絶縁性のハウジングと、前記ＩＣカードに設けられた接続端子に対応して前記収納部内に配置された複数のコンタクトと、前記収納部を覆うように倒れた覆蓋姿勢と前記収納部に対して起立した起立姿勢との間を回動可能に前記ハウジングに設けられるカバーと、を備えたコネクタであって、前記カバーの前端には、前記ハウジングの前方に形成された回動軸を回動可能に支持する支持部と、該支持部と連続し該支持部から前記カバーの前方に向かうにつれて上方に向かって延びる第１傾斜溝と、該第１傾斜溝と連続し前記ハウジングの前後方向に延びる第１水平溝とを有する第１案内溝が形成されるとともに、前記カバーの下端に開口する挿入部と、前記挿入部と連続し前記前方に向かうにつれて上方に向かって延びる第２傾斜溝と、該第２傾斜溝と連続し前記前後方向に延びる第２水平溝とを有する第２案内溝が少なくとも一対形成され前記ハウジングには、前記回動軸と平行に突出し前記カバーが覆蓋姿勢の状態で前記挿入部にそれぞれ挿入されるガイドリブが形成され、前記カバーが前記第１及び第２案内溝に沿って移動可能に設けられてなる。この構成によれば、請求項１と同様の作用効果を得ることができる。
【００２１】
請求項１６に記載の発明は、ＩＣカードを収納する収納部を有する絶縁性のハウジングと、前記ＩＣカードに設けられた接続端子に対応して前記収納部内に配置された複数のコンタクトと、前記収納部を覆うカバーと、を備えたコネクタであって、前記ハウジングは、左右一対の案内溝が複数対形成され、各案内溝は、前記ハウジングの上端に開口する挿入部と、前記挿入部と連続し前記ハウジングの後方に向かうにつれて下方に向かって延びる傾斜溝と、該傾斜溝と連続し前記ハウジングの前後方向に延びる水平溝とを有し、前記カバーには、前記案内溝にそれぞれ挿入されるガイドリブが形成され、前記カバーは、前記案内溝に沿って移動可能に設けられてなる。
【００２２】
この構成によれば、カバーが傾斜溝に沿って移動することで該カバーがハウジングの下方へ移動し、該カバーによって収納部内に収納されたＩＣカードがコンタクトに押し付けられた状態で接触する。そして、ガイドリブが水平溝内に挿入されることで、カバーが各コンタクトの弾性力により上方に付勢されてもカバーが移動せず、ＩＣカードがコンタクトに押し付けられた状態でコネクタに保持される。このように、水平溝内にそれぞれ挿入されたガイドリブによってカバーが回動することが規制されるため、各コンタクトの弾性力がガイドリブに集中しても、従来のように係合状態が解除されるといったことがなく、確実にＩＣカードをハウジングの下方に押し付けた状態で保持することができる。
【００２３】
請求項１７に記載の発明は、請求項１６に記載のコネクタにおいて、前記カバーは、前記ハウジングの上下方向と直交した状態で前記案内溝に沿って移動可能に設けられ、前記収納部には、前記ＩＣカードが前記上下方向と直交した状態で収納される。この構成によれば、収容溝にハウジングの上下方向に直交した状態で収納されるＩＣカードにカバーの全面が同時に接触し、ＩＣカードがすべてのコンタクトと接触した状態で下方に押し付けられる。従って、従来のように回動時にカバーがＩＣカードの一部のみに接触しＩＣカードが一部のコンタクトにのみ接触した状態で下方に押し付けられることが防止できる。そのため、コンタクトの接触部が接続端子に摺動することでコンタクトと接続端子間に介在する塵等の異物を除去する所謂ワイピングがＩＣカードの全端子について行われ、ＩＣカードの接触不良を防止することができる。
【００２４】
請求項１８に記載の発明は、請求項１６又は１７に記載のコネクタにおいて、前記ガイドリブが水平溝に挿入された状態の前記カバーと係合し、該カバーが傾斜溝側に向かって移動することを規制するロック機構を備える。設置場所によってはコネクタに対して恒常的に振動が伝達される場合があり、この振動等によって水平溝に挿入されたガイドリブが傾斜溝まで移動し、ＩＣカードを保持できなくなる場合がある。この点、この構成によれば、ガイドリブが傾斜溝側に移動することがロック機構により規制されるため、振動などによりカバーが移動してＩＣカードが保持できなくなることを防止できる。また、ロック機構は、カバーの後方への移動を規制するため、コンタクトの弾性力が作用せず、長期に亘って使用しても損傷し難く、確実にカバーの移動を規制できる。
【００２５】
請求項１９に記載の発明は、請求項１８に記載のコネクタにおいて、前記ロック機構は鋼板により形成され、前記ハウジングの左右方向中央に固定されるロック支持部と、前記ロック支持部の左右方向両端部からそれぞれ前記ハウジングの左右方向端部側に延び、前記カバーの移動により上下方向に弾性変形可能であるとともに、前記ガイドリブがそれぞれ前記水平溝内に挿入された状態における前記カバーの前側端部に係止するロックアームと、を備える。この構成によれば、カバーが傾斜溝内に沿って移動する際に、該カバーによりロックアームが下方に弾性変形し、ガイドリブが水平溝内に挿入されると、ロックアームが元の位置に戻ることでカバーに係止しその移動を規制する。そして、ロック機構が鋼板により形成されているため、例えば樹脂材料等に比べ、ロックアームが繰り返し弾性変形しても破損し難く強度を向上させることができる。
【００２６】
請求項２０に記載の発明は、請求項１９に記載のコネクタにおいて、前記ハウジングには、左右方向に沿ったスリットが形成され、前記ロックアームの先端部には、下方に向かって延び前記スリットに挿入される補強部がそれぞれ形成される。この構成によれば、補強部がスリットに収容されることでロックアームが前後方向に変形し難くなるため、カバーを確実にロックすることができる。
【００２７】
請求項２１に記載の発明は、請求項１６〜２０のうちの何れか一項に記載のコネクタにおいて、前記ハウジングの底部には、該底部の上下方向両側に開口したコンタクト保持溝が複数形成され、前記コンタクトは、プリント基板上に固定される基端部と、前記基端部から上方に延びる固定部と、前記固定部の上端から該固定部と直交する方向に延び、先端が上下方向に弾性変形可能に形成されたアーム部と、前記アーム部の先端に形成され前記接続端子と接触する接触部と、を備え、前記固定部が前記ハウジングの上方から前記コンタクト保持溝に圧入される。この構成によれば、ＩＣカードの挿入時等にコンタクトに衝撃が加わっても、アーム部がハウジングの底部に当接することで、コンタクトがハウジングから抜けることが防止できる。
【００２８】
請求項２２に記載の発明は、請求項３〜５，１８〜２０のうちの何れか１項に記載のコネクタにおいて、前記カバーには、前記ロック機構による前記カバーのロックを解除する治具が挿入される開錠溝が形成されてなる。この構成によれば、開錠溝に治具を挿入することによりロックが解除されるため、カバーを取り外しが容易になる。
【００２９】
請求項２３に記載の発明は、請求項４，５，１９，２０のうちの何れか１項に記載のコネクタにおいて、前記カバーには、前記ロックアームを前記ハウジングに向って押し下げることにより前記カバーのロックを解除する治具が挿入される開錠溝が形成されてなる。この構成によれば、ロックアームを容易に押し下げることができ、カバーを取り外しを容易に行うことが可能となる。
【００３０】
請求項２４に記載の発明は、ＩＣカードを収納する収納部を有する絶縁性のハウジングと、前記ＩＣカードに設けられた接続端子に対応して前記収納部内に配置された複数のコンタクトと、前記収納部を覆うカバーと、を備え、前記ハウジングは、前記カバーに形成されたガイドリブが挿入される左右一対の案内溝が複数対形成され、各案内溝は、前記ハウジングの上端に開口する挿入部と、前記挿入部と連続し前記ハウジングの後方に向かうにつれて下方に向かって延びる傾斜溝と、該傾斜溝と連続し前記ハウジングの前後方向に延びる水平溝とを有し、前記ガイドリブが水平溝に挿入された状態の前記カバーと係合し、該カバーが傾斜溝側に向かって移動することを規制するロック機構を備えたコネクタに対して用いられる治具であって、前記ハウジングの上面に当接される本体部と、前記本体部に形成され、前記ロック機構と前記カバーとの係合を解除する爪部と、前記爪部を前記ロック機構に案内するガイド部と、を有する。この構成によれば、治具によりロックが解除されるため、カバーを取り外しが容易になる。
【００３１】
請求項２５に記載の発明は、請求項２４に記載の治具において、前記ロック機構は鋼板により形成され、前記ハウジングの左右方向中央に固定されるロック支持部と、前記ロック支持部の左右方向両端部からそれぞれ前記ハウジングの左右方向端部側に延び、前記カバーの移動により上下方向に弾性変形可能であるとともに、前記ガイドリブが前記水平溝内に挿入された状態における前記カバーの前側端部に係止するロックアームと、を備え、前記爪部は、前記ガイド部の案内によって前記ロックアームを前記ハウジングに押し下げるように形成されてなる。この構成によれば、ロックアームを容易に押し下げることができ、カバーを取り外しを容易に行うことが可能となる。
【００３２】
請求項２６に記載の発明は、請求項２５に記載の治具において、前記カバーには、前記爪部が挿入される開錠溝が形成され、前記爪部は、前記ロックアームを押し下げる斜面と、前記斜面に押し下げられたロックアームをその押し下げられた位置で保持するロック解除部と、を有する。この構成によれば、ロックアームを容易に押し下げることができ、ロックを解除することができる。そして、カバーを移動させる際にロック解除部がロックアームを押し下げた位置で保持するため、ロックしない位置までカバーを容易に移動させることができる。
【００３３】
請求項２７に記載の発明は、請求項２４〜２６のうちの何れか１項に記載の治具において、前記本体部から斜め上方に向って延びる把持部と、前記把持部の先端から前記本体部に向って延び、ロックが解除された前記カバーと係合可能なカバー押出部とを有する。この構成に拠れば、把持部を把持して本体部を移動させることにより、カバーのロックを解除することができる。そして、カバー押出部によりカバーを容易に移動させることができる。
【００３４】
請求項２８に記載の発明は、請求項２４〜２６のうちの何れか１項に記載の治具において、前記本体部には、前記ハウジングの上面と対向する下面から突出するように支持されるとともにバネにより前記下面から突出する方向に付勢された押し爪を有し、前記押し爪は前記カバーのロックを解除した位置で前記下面から突出して前記本体部を前記ガイド部による案内方向と逆方向に移動させる際に前記カバーの外側面と係合する。この構成によれば、ガイド部による案内方向に本体部を移動させることによりロックを解除することができる。カバーのロックが解除すると、押し爪が本体部の下面から突出して案内方向と逆方向に本体部を移動させるときにカバーと係合する。従って、本体部を案内方向に移動させ、それと逆方向に移動させるだけで、カバーのロック解除とカバーの移動とを行うことができる。
【発明の効果】
【００３５】
本発明によれば、確実にＩＣカードをハウジングの下方に押し付けた状態で保持することができるコネクタ、及びこのコネクタに好適な治具を提供することができる。
【発明を実施するための最良の形態】
【００３６】
（第１実施形態）
以下、本発明を具体化した第１実施形態を図面に従って説明する。
図１に示すように、コネクタ１１は、プリント基板１２上に実装され、ＩＣカード１３（例えば、小型メモリカード）とプリント基板１２に形成されたパターンとを電気的に接続する。図２に示すように、ＩＣカード１３は長方形板状に形成され、その短手方向に沿って配列された複数（本実施形態では２２個）の接続端子１４を有するとともに、列状の接続端子１４が長手方向に沿って複数列（本実施形態では４列）設けられている。また、ＩＣカード１３は、接続端子１４が露出した面の反対側面に所定のピン（例えば１番ピン）の位置を示すマーク１５が付されている。
【００３７】
コネクタ１１は、絶縁性（例えば、合成樹脂）のハウジング１６と、ハウジング１６内に配置されたＩＣカード１３を覆蓋する絶縁性のカバー１８とを備えている。
図３に示すように、ハウジング１６は、その上部に開口部２１を有する長箱状に形成されている。詳述すると、ハウジング１６の底部２２には、その底部２２の左右方向（図３における上下方向）両端に、ハウジング１６の前後方向（図３における左右方向）に沿って延びる右側壁２３及び左側壁２４が立設されている。また、ハウジング１６の前方（図３における右側）には、右側壁２３と左側壁２４との前方を連結するように前側壁２５が立設されるとともに、ハウジング１６の後方（図３における左側）には、右側壁２３と左側壁２４の後側端部を連結するように後側壁２６が立設されている。右側壁２３及び左側壁２４は、ハウジング１６の上下方向（図３における紙面直交方向）に沿って同じ長さ（高さ）に形成されるとともに、後側壁２６は、右側壁２３及び左側壁２４よりも低く形成されている。さらに、前側壁２５は、後側壁２６よりも低く形成されている。そして、ハウジング１６内には、右側壁２３、左側壁２４、前側壁２５及び後側壁２６に囲まれ、ＩＣカード１３を収容する収納部２７が形成されている。収納部２７には、ＩＣカード１３が上下方向と直交した状態（底部２２と平行な状態）で収納されるようになっている。
【００３８】
ハウジング１６の底部２２には、矩形状をなすとともに上下方向に貫通した複数（本実施形態では２つ）の貫通孔２８が前後方向に所定間隔をおいて形成されている。つまり、本実施形態のハウジング１６の底部２２は、前後両側を貫通孔２８に挟まれた中央部２９と、後側が貫通孔２８に臨むとともに前側がハウジング１６の前側壁２５に連続する前側部３０と、前側が貫通孔２８に臨むとともに後側がハウジング１６の後側壁２６に連続する後側部３１とから構成されている。
【００３９】
中央部２９の前後方向中央には、前後方向両端部よりも肉厚の段差部３２が左右方向に沿って形成されるとともに、前側部３０及び後側部３１の反貫通孔２８側には、貫通孔２８側よりも肉厚の段差部３３，３４が左右方向に沿って形成されている。そして、各段差部３２〜３４には、ＩＣカード１３の接続端子１４と対応して上方に開口したコンタクト収容溝３５が形成されている。具体的には、コンタクト収容溝３５は、段差部３２の前後方向両端部に、それぞれ上方及び前後方向両側に開口するとともに左右方向に沿って複数列（本実施形態では、２２列）形成されている。また、コンタクト収容溝３５は、各段差部３３，３４に、上方及び貫通孔２８側に開口するとともに前後方向に沿って複数列（本実施形態では、２２列）形成されている。さらに、中央部２９の前後方向両端部、前側壁２５の後側端部及び後側部３１の前側端部には、各コンタクト収容溝３５に対応した位置に、底部２２の上下方向両側に開口し、コンタクト１７を保持するコンタクト保持溝３６が形成されている。
【００４０】
そして、前側部３０の前側端部には、左右方向に所定間隔を空けて配置された２つの突部からなる保持突部３７が形成されるとともに、これら突部の対向面には上方に開口する保持溝３８が形成されている。また、前側壁２５の左右方向両端部には、左右方向に沿ったスリット３９が形成されている。
【００４１】
右側壁２３における左側壁２４の対向面、左側壁２４における右側壁２３の対向面には、左右一対の第１案内溝４１、及び複数対（本実施形態では、２対）の第２案内溝４２，４３がそれぞれ形成されている。本実施形態では、第２案内溝４２，４３は、右側壁２３及び左側壁２４の前後方向における同位置に形成されるとともに、第１案内溝４１及び第２案内溝４２，４３は、右側壁２３及び左側壁２４に対称な形状で形成されているため、右側壁２３についてのみ詳細に説明する。
【００４２】
図４に示すように、第１案内溝４１は、右側壁２３の上面に開口し上下方向に沿った第１垂直溝４４と、該第１垂直溝４４に連続するとともに後方に向かうにつれてハウジング１６の下方に向かって延びる第１傾斜溝４５と、該第１傾斜溝４５の後側端部に連続するとともに前後方向に延びる第１水平溝４６とを備えている。また、第２案内溝４２，４３は、右側壁２３の上面に開口し上下方向に沿った第２垂直溝４７，４８と、該各第２垂直溝４７，４８の後側端部にそれぞれ連続し第１傾斜溝４５と同じ角度の第２傾斜溝４９，５０と、該各第２傾斜溝４９，５０にそれぞれ連続し前後方向に延びる第２水平溝５１，５２とを備えている。なお、第１水平溝４６、第２傾斜溝４９，５０及び第２水平溝５１，５２はハウジング１６の下方に開口して形成されている。
【００４３】
第１案内溝４１の第１垂直溝４４は、前側壁２５の前側端部よりも前方に位置し、上方に開口するとともに上下方向に沿った凹形状に形成されている。そして、第１垂直溝４４内には柱状の係止部材５３が立設されている。図５に示すように、係止部材５３は、第１垂直溝４４内で左右方向に弾性変形可能に立設されるとともに、係止部材５３の上部には、左側壁２４側に向かって突出した係止爪５４が形成されている。本実施形態では、係止爪５４の上面５５は、その基端側（係止部材５３側）から先端側（反係止部材５３側）に向かうにつれて突出するように傾斜したテーパ状に形成されるとともに、下面５６は、カバーが着脱される方向（上下方向）と直交する平面状に形成されて、先端が尖状になっている。また、係止爪５４の下方には、右側壁２３の略中央までの高さに形成された支持部５７が形成されている。さらに、支持部５７の左側壁２４側には、前後方向に所定間隔を空けて配置された突部からなる収容突部５８が形成されるとともに、これら突部の対向面には上下方向に開口する収容溝５９が形成されている。
【００４４】
また、図４に示すように、挿入部としての第２垂直溝４７は、上方に開口するとともに右側壁２３の上下方向における略中央部まで延びる凹形状に形成されている。即ち、第２垂直溝４７の下側端部には、前側の方が高い段付き形状に形成された支持壁６０が形成されている。一方、挿入部としての第２垂直溝４８は、上方に開口するとともに上下方向に沿った凹形状に形成されている。第２垂直溝４８内には、係止部材６１が立設されている。図６に示すように、係止部材６１は、第２垂直溝４８内で左右方向に弾性変形可能に立設されるとともに、係止部材６１の上部には、左側壁２４側に向かって突出した係止爪６２が形成されている。本実施形態では、係止爪６２の上面６３及び下面６４は、その基端側（係止部材６０側）から先端側（反係止部材６０側）に向かうにつれて突出するように傾斜したテーパ状に形成されて、先端が尖状になっている。また、係止爪６２の下方には、右側壁２３の略中央までの高さの支持壁６５が形成されている。支持壁６５の上端は、前側の方が高い段付き形状に形成されている。さらに、右側壁２３及び左側壁２４の上端には、第１案内溝４１と第２案内溝４２との間、及び第２案内溝４２と第２案内溝４３との間に前後方向に沿った凹部６６がそれぞれ形成されている。
【００４５】
ハウジング１６には、図７に示す補助金具７１が固定されている。詳述すると、図８に示すように、補助金具７１は、右側壁２３及び左側壁２４の前側端部間に配置され、長方形状に形成された固定部７２が前側壁２５の前側端部に設けられた保持溝３８に圧入されている。補助金具７１は、例えばプレス加工により打ち抜かれた鋼板を曲げ加工することで形成されている。そして、図７及び図９に示すように、固定部７２には、その上端にロック機構７３が形成されるとともに、その下端に軸受け機構７４が形成されている。
【００４６】
ロック機構７３は、固定部７２の上端から後方に延びハウジング１６の左右方向中央に固定されたロック支持部７５を備え、該ロック支持部７５には、その左右方向両端部からそれぞれハウジング１６の左右方向端部側に延び、カバー１８の移動により上下方向に弾性変形可能なロックアーム７６が形成されている。本実施形態では、ロックアーム７６は、ロック支持部７５の左右方向両端部からそれぞれハウジング１６の左右方向端部側に向かうにつれて上方に傾斜する傾斜部７７ａと、傾斜部７７ａの先端部の後側に上方に延びてから後方に折り曲げられて形成されたロック爪７７ｂとから構成されている。ロック爪７７ｂの前側端部は、折り曲げられることでその断面が略円弧状になっている。また、ロックアーム７６（傾斜部７７ａ）の先端部には、該先端部の前側から下方に折り曲げられて前側壁２５の上端に形成されたスリット３９に挿入される補強部７８が形成されている。さらに、ロック支持部７５の後端には、上方に延びてから後方に折り曲げられ、収納部２７内に配置される位置合わせ部７９が形成されている。この位置合わせ部７９により、収納部２７の前後方向の長さが規定されてＩＣカード１３が収納部２７内の所定位置に収容される。
【００４７】
軸受け機構７４は、固定部７２の下端から水平方向前側に延びてプリント基板１２上に半田付けされる半田付け部としての軸受け支持部８０を備えている。ハウジング１６の左右方向中央に固定された軸受け支持部８０には、その左右方向両端部からそれぞれハウジング１６の左右方向端部側に延びる軸受けアーム８１が形成されている。本実施形態では、軸受けアーム８１は、軸受け支持部８０の左右方向両端部からそれぞれ上方に延びる直立部８２ａと、直立部８２ａの先端からそれぞれハウジング１６の左右方向端部側に延びる水平部８２ｂとから構成されている。また、軸受けアーム８１（水平部８２ｂ）の先端部には上方に向かって延びる軸受け部８３が形成されるとともに、各軸受け部８３は収容溝５９に上下動可能に挿入されている。そして、図１０に示すように、軸受け部８３の上端は略円弧状に形成されており、第１傾斜溝４５側に向かうほど高くなる規制突部８４が形成されている。
【００４８】
次に、コンタクト１７について説明する。
コンタクト１７は、例えばプレス加工により打ち抜かれた鋼板を曲げ加工することにより形成されている。具体的には、図１１及び図１２に示すように、コンタクト１７は、プリント基板１２上の図示しないパターンに半田付け処理される基端部９１と、基端部９１から上方に延びる固定部９２と、固定部９２の上端から該固定部９２と直交する方向に延びるアーム部９３と、アーム部９３の先端に形成され接触部９４とを備えている。アーム部９３は、固定部９２と直交する方向に延びてから略Ｕ字上に折り返されて斜め上方に延び、その先端が上下方向に弾性変形可能に形成されている。また、接触部９４は、上方に向かって凸な円弧状に形成されている。
【００４９】
各コンタクト１７は、図１３に示すように、固定部９２が上方からコンタクト保持溝３６に圧入されることで、アーム部９３がコンタクト収容溝３５に収容されるとともに、接触部９４が段差部３２〜３４の上面よりも上方に位置し、収納部２７内に収納されたＩＣカード１３に圧接するようになっている。また、各コンタクト１７は、基端部９１が底部２２の下方に突出するように固定され、プリント基板１２上に形成されたパターンとコンタクト１７とが確実に半田付けされるようになっている。
【００５０】
次に、カバー１８について説明する。
カバー１８は、図１に示すように、カバー１８を立てた状態で下側に位置する前側枠１０１及び上側に位置する後側枠１０２と、これらの両端で該前側枠１０１と該後側枠１０２を連結する右側枠１０３及び左側枠１０４とからなる矩形枠状に形成されている。図１４に示すように、前側枠１０１の底面には、カバー１８の左右方向（図１４における上下方向）に沿った突条１０５が形成されるとともに、該前側枠１０１の中央にはカバー１８の前後方向（図１４における左右方向）に沿った溝部１０６が形成されている。この溝部１０６は、前側枠１０１と、補助金具７１の位置合わせ部７９（図７等参照）との干渉を避けるために形成されている。また、後側枠１０２の後側端部には、凹部１０７が形成されている。
【００５１】
前側枠１０１の左右方向両端部には、第１案内溝４１の第１垂直溝４４に挿入される略円柱形状の回動軸１０８が突設されている。また、右側枠１０３及び左側枠１０４の中央部外側には、回動軸１０８と平行に第２案内溝４２に挿入されるガイドリブ１０９が突設されるとともに、後側枠１０２の左右方向両端部に第２案内溝４３に挿入されるガイドリブ１１０が形成されている。さらに、右側枠１０３及び左側枠１０４の左右方向外側には、凹部６６に対応した形状の突部１１１が形成されている。
【００５２】
カバー１８をハウジング１６に取り付ける際には、回動軸１０８を係止爪５４の上面に押し付けると、該上面５５がテーパ状に形成されているために係止部材５３が左右方向外側に弾性変形し、該回動軸１０８が第１垂直溝４４に挿入されて係止爪５４と支持部５７との間に挿入されるようになっている。また、係止爪５４と支持部５７との間に挿入されたカバー１８引き上げても、下面５６が上下方向と直交する面に形成されているため、係止部材５３が左右方向外側に弾性変形し難く、カバー１８が外れ難い。
【００５３】
回動軸１０８が係止爪５４と支持部５７との間に挿入された状態では、係止部材５３が元の位置に戻り、回動軸１０８が支持部５７上に回動可能に支持されるようになっている。図１５に示すように、この状態でカバー１８は、回動軸１０８を通る軸線を中心に回動変位するようになっている。なお、図１５の実線で示すように、カバー１８が収納部２７に対して起立した状態を起立姿勢といい、図１５の二点鎖線で示すようにカバー１８が収納部２７を覆うように倒れた状態を覆蓋姿勢という。そして、本実施形態では、カバー１８は、ハウジング１６の上下方向と直交した状態で第１案内溝４１及び第２案内溝４２，４３に沿って移動するようになっている。
【００５４】
また、カバー１８が回動して覆蓋姿勢になる際には、ガイドリブ１０９が第２案内溝４２に挿入されるとともに、ガイドリブ１１０が第２案内溝４３に挿入されるようになっている。ガイドリブ１１０が第２案内溝４３に挿入される際に、上記回動軸１０８と同様に、ガイドリブ１１０を係止爪６２に押し付けると、上面６３がテーパ状に形成されているために係止部材６１が左右方向外側に弾性変形し、該ガイドリブ１１０が第２垂直溝４８に挿入されて係止爪６２と支持壁６５との間に挿入されるようになっている。そして、ガイドリブ１１０が係止爪６２と支持壁６５との間に位置した状態では、係止部材６１が元の位置に戻り、例えばコンタクトの弾性力などによってカバー１８が回動することを防止するようになっている。また、カバー１８を回動させる際には、ガイドリブ１１０を係止爪６２に押し付けると、下面６４がテーパ状に形成されているために係止部材６１が左右方向外側に弾性変形することで容易にカバー１８を回動させることができる。
【００５５】
このように、回動軸１０８が係止部材５３に係止されるため、コネクタ１１の搬送時等にハウジング１６からカバー１８が外れず、カバー１８とハウジング１６とが一体にされた状態でユーザに提供される所謂１ピースタイプのコネクタとしてユーザに供給できる。また、工具等を用いずとも係止部材５３を弾性変形させることでカバー１８をハウジング１６に取り付けることができるため、カバー１８とハウジング１６とが別々の状態でユーザに提供される所謂２ピースタイプのコネクタとしてユーザに供給できる。従って、１ピースタイプ及び２ピースタイプのコネクタを製造するためにそれぞれ製造ラインを設けずともよく、１つの製造ラインで１ピースタイプ及び２ピースタイプのコネクタを製造でき、それぞれ異なる製造ラインで各コネクタを製造する場合に比べ、コストの増大を抑制できる。
【００５６】
これらのコネクタの製造方法は、図１６（ａ）に示すように、コンタクト１７が装着されたハウジング１６に補助金具７１を取り付けることで、図１６（ｂ）に示すように、２ピースタイプのコネクタが製造される。そして、カバー１８をハウジング１６に取り付けることで、図１６（ｃ）に示すように、１ピースタイプのコネクタが製造される。
【００５７】
次に、コネクタ１１へのＩＣカード１３の装着について説明する。
ＩＣカード１３をコネクタ１１に装着するに際して、１ピースタイプのコネクタ１１の場合には、覆蓋姿勢のカバー１８を回動させ、起立姿勢にする。このとき、前側枠１０１には凹部１０７が形成されているため、例えば指（図示略）を引っ掛けやすく、覆蓋姿勢のカバー１８を容易に回動させることができる。一方、２ピースタイプのコネクタ１１の場合には、カバー１８の回動軸１０８を第１案内溝４１内に挿入し、起立姿勢にする。なお、以下の手順は１ピースタイプ及び２ピースタイプともに同様の作業手順となる。
【００５８】
次に、図１７（ａ）に示すように、ＩＣカード１３を、そのマーク１５の付された面が上面となるようにして、ハウジング１６の上方から開口部２１を介して収納部２７内に挿入する。このとき、補助金具７１の位置合わせ部７９により、ＩＣカード１３が収納部２７内における所定位置に配置され、該ＩＣカード１３の下面に形成された各接続端子１４と各コンタクト１７の接触部９４が個別に接触する。続いて、図１７（ｂ）に示すように、カバー１８を回動させて起立姿勢から覆蓋姿勢にし、各ガイドリブ１０９，１１０をそれぞれ対応する第２案内溝４２，４３に挿入する。なお、回動軸１０８が係止爪５４と軸受け部８３との間に挿入されたカバー１８の位置を回動位置といい、本実施形態では、この状態でカバー１８がＩＣカード１３に当接しないようになっている。
【００５９】
そして、図１７（ｃ）に示すように、カバー１８を後方に移動させ、該カバー１８の移動がロックアーム７６（ロック爪７７ｂ）により規制されるロック位置までカバー１８を後方に移動させて、ＩＣカード１３を保持する。この際に、回動位置からカバー１８を後方へ移動させようとすると、回動軸１０８が支持部５７の上方に突出した規制突部８４に引っ掛かる。本実施形態では、軸受け部８３の上端は略円弧状に形成されているため、カバー１８は軸受け部８３に下方への押圧力を付与することになる。そして、カバー１８を軸受けアーム８１のばね力に抗して後方に移動すると、軸受け部８３が収容溝５９に沿って下方に移動し、回動軸１０８が第１傾斜溝４５内に、ガイドリブ１０９，１１０が第２傾斜溝４９，５０内に移動する。このように、軸受け部８３を下方に押し下げることで、カバー１８が回動位置から移動する際に操作感（クリック感）を得ることができる。
【００６０】
続いて、カバー１８を後方へ移動させると、カバー１８が後方に進むにつれてハウジングの下方へ移動し、前側枠１０１に形成された突条１０５がロック爪７７ｂに引っ掛かる。ロック爪７７ｂの前側端部はその断面が略円弧状に形成されているため、カバー１８がハウジング１６の後方に進むにつれて、突条１０５はロック爪７７ｂに下方への押圧力を付与することになる。そして、カバー１８をロックアーム７６のばね力に抗して後方に移動すると、補強部７８がスリット３９に沿って下方に移動するとともにロック爪７７ｂが突条１０５よりも下方へ移動する。そして、回動軸１０８が第１水平溝４６に到達するとともにガイドリブ１０９，１１０が第２水平溝５１，５２に到達する（カバー１８がロック位置に移動する）と、ロック爪７７ｂの下方への押圧力が解消され、図１８に示すように、ロック爪７７ｂが元の位置に戻って突条１０５の前側端部に係止する。また、カバー１８がロック位置に移動すると、ＩＣカード１３は、下側への移動が停止し、図１９に示すように、各接続端子１４と各コンタクト１７とが所定の接触圧で接触した状態で、収納部２７内に保持される。この状態で、カバー１８はコンタクト１７の弾性力によって上方へ付勢されるが、回動軸１０８が第１水平溝４６に挿入されるとともに、各ガイドリブ１０９，１１０が第２水平溝５１，５２に挿入されているため、カバー１８の移動を規制することができる。従って、確実にＩＣカード１３をハウジング１６の下方に押し付けた状態で保持することができる。なお、第１水平溝４６及び第２水平溝５１，５２が下方に開口しているが、突部１１１が凹部６６に係止することで、ロック位置にあるカバー１８が下方に移動しないようになっている。
【００６１】
また、カバー１８を回動位置からロック位置に移動させることで、図２０に示すように、コンタクト１７が弾性変形し、接触部９４が前後方向に移動量Ｌだけ移動する。本実施形態では、カバー１８が上下方向と直交する状態で第１案内溝４１及び第２案内溝４２，４３に沿って移動する。そのため、ＩＣカード１３がカバー１８の全面と同時に接触し、ＩＣカード１３がすべてのコンタクト１７と接触した状態で下方に押し付けられる。従って、従来のように回動時にカバーがＩＣカードの一部のみに接触しＩＣカード１３が一部のコンタクト１７のみに接触した状態で下方に押し付けられることが防止できる。さらに、回動位置にあるカバー１８がＩＣカード１３に当接しないため、各コンタクト１７は、各接続端子１４に対して接触部９４の移動量Ｌだけ確実に摺動する。そのため、接触部９４が接続端子１４に摺動することでコンタクト１７と接続端子１４間に介在する塵等の異物を除去する所謂ワイピングがＩＣカード１３の全端子について十分に行われ、ＩＣカード１３の接触不良を防止することができる。
【００６２】
次に、コネクタ１１からのＩＣカード１３の取り外しについて説明する。
先ず、例えばピンセットなどの工具によって、ロックアーム７６（ロック爪７７ｂ）を後側枠１０２に形成された突条１０５よりも下方に移動させた状態で、カバー１８を前方へ移動させ、カバー１８を回動位置に位置させる。そして、カバー１８を起立姿勢に起動させてＩＣカード１３を収納部２７から取り出す。このとき、軸受け部８３によって、カバー１８を回動位置に位置する際に操作感を得ることができるため、カバー１８が回動位置にない状態で、カバー１８を回動させようとしてコネクタ１１が損傷することを防止できる。
【００６３】
以上記述したように、本実施形態によれば、以下の効果を奏する。
（１）ハウジング１６に、支持部５７と連続し該支持部５７から該ハウジング１６の後方に向かうにつれて下方に向かって延びる第１傾斜溝４５と、該第１傾斜溝４５と連続しハウジング１６の前後方向に延びる第１水平溝４６とを有する第１案内溝４１を形成した。また、ハウジング１６の上部に開口する第２垂直溝４７，４８と、第２垂直溝４７，４８と連続し該第２垂直溝４７，４８から該ハウジング１６の後方に向かうにつれて下方に向かって延びる第２傾斜溝４９，５０と、該第２傾斜溝４９，５０と連続し前後方向に延びる第２水平溝５１，５２とを有する第２案内溝４２，４３を形成した。そして、カバー１８が覆蓋姿勢の状態で第２垂直溝４７，４８にそれぞれ挿入されるガイドリブ１０９，１１０を形成し、該カバー１８を第１案内溝４１及び第２案内溝４２，４３に沿って移動可能にハウジング１６に設けた。このように、第１水平溝４６及び第２水平溝５１，５２内にそれぞれ挿入される回動１０８軸及びガイドリブ１０９，１１０によってカバー１８が回動することが規制され、各コンタクト１７の弾性力に抗してＩＣカード１３を保持するため、確実にＩＣカード１３をハウジング１６の下方に押し付けた状態で保持することができる。
【００６４】
（２）ハウジング１６に、その上端に開口する第１垂直溝４４を形成し、該第１垂直溝４４内に、左右方向内側に突出する係止爪５４を有する係止部材５３を左右方向に弾性変形可能に設けた。そして、係止爪５４の下方に支持部５７を設け、カバー１８を、回動軸１０８が支持部５７と係止爪５４との間に挿抜されることでハウジング１６に対して着脱可能にした。そのため、１ピースタイプ及び２ピースタイプのうちのコネクタのいずれのコネクタとしてもユーザに供給することが可能である。従って、１ピースタイプ及び２ピースタイプのコネクタを製造するためにそれぞれ製造ラインを設けずともよく、１つの製造ラインで１ピースタイプ及び２ピースタイプのコネクタを製造でき、それぞれ異なる製造ラインで各コネクタを製造する場合に比べ、コストの増大を抑制できる。
【００６５】
（３）カバー１８が上下方向と直交する状態で第１案内溝４１及び第２案内溝４２，４３に沿って移動し、収納部２７にＩＣカード１３が上下方向と直交した状態で収納されるようにした。そのため、ＩＣカード１３がカバー１８の全面と同時に接触し、ＩＣカード１３がすべてのコンタクト１７と接触した状態で下方に押し付けられる。従って、従来のように回動時にカバー１８がＩＣカード１３の一部のみに接触してＩＣカード１３が傾動することが防止でき、ＩＣカード１３の各接続端子１４が各コンタクト１７にそれぞれ接触した状態でＩＣカード１３が下方に押し付けられる。そのため、コンタクト１７の接触部９４が接続端子１４に摺動することでコンタクト１７と接続端子１４間に介在する塵等の異物を除去する所謂ワイピングがＩＣカード１３の全端子について行われ、ＩＣカード１３の接触不良を防止することができる。
【００６６】
（４）カバー１８が第１傾斜溝４５及び第２傾斜溝４９，５０側に移動することを規制するロック機構７３を備えた。設置場所によってはコネクタ１１に対して恒常的に振動が伝達される場合があり、この振動等によって回動軸１０８及びガイドリブ１０９，１１０が第１水平溝４６及び第２水平溝５１，５２から第１傾斜溝４５及び第２傾斜溝４９，５０側に移動し、ＩＣカード１３を保持できなくなる場合がある。この点、本実施形態によれば、回動軸１０８及びガイドリブ１０９，１１０が第１水平溝４６及び第２水平溝５１，５２から第１傾斜溝４５及び第２傾斜溝４９，５０側に移動することがロック機構７３により規制されるため、振動などによりカバー１８が移動してＩＣカード１３が保持できなくなることを防止できる。また、ロック機構７３は、カバー１８の後方への移動を規制するため、コンタクト１７の弾性力が作用せず、長期に亘って使用しても損傷し難く、確実にカバー１８の移動を規制できる。
【００６７】
（５）ロック機構７３は鋼板により形成され、ロック支持部７５と、ロック支持部７５の左右方向両端部からそれぞれハウジング１６の左右方向端部側に延び、カバー１８の移動により上下方向に弾性変形可能なロックアーム７６とを備える。そのため、例えば樹脂材料によりロック機構７３を形成した場合に比べ、ロックアーム７６が繰り返し弾性変形しても破損し難く強度を向上させることができる。
【００６８】
（６）ハウジング１６にスリット３９を形成し、ロックアーム７６の先端部に、該先端部の前側から下方に向かって延びスリット３９に挿入される補強部７８を形成したため、ロックアーム７６が前後方向に変形し難く、カバー１８を確実にロックすることができる。
【００６９】
（７）軸受け支持部８０がプリント基板１２上に半田付けされるため、確実にコネクタ１１をプリント基板１２上に固定できる。
（８）支持部５７には、該支持部５７における第１傾斜溝４５側にて上方に突出し、回動軸１０８の移動によって上下方向に移動可能な規制突部８４を有する軸受け機構７４を設けた。そのため、回動軸１０８が支持部５７と第１傾斜溝４５との間を移動する際に操作感（クリック感）が生じ、回動軸１０８が支持部５７に挿入された状態か又は第１傾斜溝４５に挿入された状態かを容易に把握することができる。これにより、例えば、回動軸１０８が第１傾斜溝４５に挿入された状態、即ちガイドリブ１０９，１１０が第２傾斜溝４９，５０に挿入された状態でカバー１８を回動させようとする等の誤操作を防止できる。
【００７０】
（９）軸受け機構７４は鋼板により形成され、８０軸受け支持部と、軸受け支持部８０の左右方向両端部からそれぞれハウジング１６の左右方向端部側に延び弾性変形可能な軸受けアーム８１とを備える。軸受けアーム８１は、軸受け支持部８０の左右方向両端部からそれぞれ上方に延びる直立部８２ａと、直立部８２ａの先端からそれぞれハウジング１６の左右方向端部側に延びる水平部８２ｂとから構成されている。さらに、軸受けアーム８１（水平部８２ｂ）の先端部からそれぞれ上方に延びるとともに支持部５７に配置され、上端に規制突部８４が形成された軸受け部８３とを備える。そのため、例えば樹脂材料により軸受け機構７４を形成した場合に比べ、軸受けアーム８１が繰り返し弾性変形しても破損し難く強度を向上させることができる。
【００７１】
（１０）半田付け部（軸受け支持部８０）、ロック機構７３及び軸受け機構７４が補助金具７１により一体形成されてなるため、これらそれぞれ別部材により形成する場合に比べ、部品点数を削減できる。また、軸受けアーム８１が直立部８２ａの上端に形成されているため、軸受けアーム８１が弾性変形しても、プリント基板１２に接触することを防止できる。
【００７２】
（１１）底部２２に、該底部２２の上下方向両側に開口したコンタクト保持溝３６を複数形成した。また、コンタクト１７は、プリント基板１２上に固定される基端部９１と、基端部９１から上方に延びる固定部９２と、固定部９２の上端から該固定部９２と直交する方向に延び、先端が上下方向に弾性変形可能に形成されたアーム部９３と、アーム部９３の先端に形成された接触部９４とを備える。そして、固定部９２をハウジング１６の上方からコンタクト保持溝３６に圧入した。そのため、ＩＣカード１３の挿入時等にコンタクト１７に衝撃が加わっても、アーム部９３が底部２２に当接することで、コンタクト１７がハウジング１６から抜けることが防止できる。
【００７３】
（１２）第２垂直溝４８内には、左右方向内側に突出する係止爪６２を有する係止部材６１を左右方向に弾性変形可能に設けるとともに、係止爪６２の下方に支持壁６５を設け、ガイドリブ１１０が支持壁６５と係止爪６２との間に挿入されるようになっている。そのため、カバー１８を覆蓋姿勢にした状態でガイドリブ１１０が支持壁６５と係止爪６２との間に挿入されるため、例えばコンタクト１７の弾性力などによってカバー１８が回動することを防止できる。そのため、ＩＣカード１３の装着時にカバー１８が意図せず回動することを防止でき、その作業性を向上させることができる。
【００７４】
（１３）係止爪５４の上面５５をテーパ状に形成し、下面５６をカバー１８の着脱される方向と直交する平面状に形成した。そのため、回動軸１０８を係止爪５４の上面５５に押し付けると、係止部材５３が左右方向外側に弾性変形し、該回動軸１０８が第１垂直溝４４に挿入されて係止爪５４と支持部５７との間に挿入することができる。また、回動軸１０８が係止爪５４と支持部５７との間に挿入されたカバー１８を引き上げても、係止部材５３が左右方向外側に弾性変形し難く、カバー１８が外れずに確実に１ピースタイプのコネクタとしてユーザに供給することができる。
【００７５】
（１４）係止爪６２の上面６３及び下面６４をテーパ状に形成したため、ガイドリブ１１０を係止爪６２の上面６３に押し付けると、係止部材６１が左右方向外側に弾性変形し、該ガイドリブ１１０が第２垂直溝４８に挿入されて係止爪６２と支持壁６５との間に挿入することができる。また、ガイドリブ１１０が係止爪６２と支持壁６５との間に挿入された状態でカバー１８を回動させると、係止部材６１が左右方向外側に弾性変形してカバー１８を回動させることができる。
【００７６】
（１５）回動位置にあるカバー１８がＩＣカード１３に当接しないようにしたため、各コンタクト１７は、各接続端子１４に対して接触部９４の移動量Ｌだけ確実に摺動し、ワイピングを十分に行うことができる。
【００７７】
（１６）前側枠１０１に凹部１０７を形成したため、例えば指（図示略）を引っ掛けやすく、覆蓋姿勢のカバー１８を容易に回動させることができる。
（１７）ロックアーム７６は、ロック支持部７５の左右方向両端部からそれぞれハウジング１６の左右方向端部側に向かうにつれて上方に傾斜する傾斜部７７ａと、傾斜部７７ａの先端部の後側に上方に延びてから後方に折り曲げられて形成されたロック爪７７ｂとから構成されている。従って、ロックアーム７６は、ロック爪７７ｂがカバー１８（突条１０５）に係止することで、カバー１８に確実に係止することができる。
【００７８】
（第２実施形態）
以下、本発明を具体化した第２実施形態を図面に従って説明する。
尚、本実施形態において、第１実施形態と同じの構成部分については同一符号を用いる。そして、第１実施形態において説明した部分については、その部分の説明の全て又は一部を省略する。また、第１実施形態にて用いた符号のうち、本実施形態の説明に必要な符号を図面に付すこととする。
【００７９】
図２１に示すように、本実施形態のコネクタ２００は、ハウジング１６と、カバー２０２とを有している。
カバー２０２は、第１実施形態と同様に、矩形枠状に形成され、前側枠２０３と、後側枠１０２と、前側枠２０３と後側枠１０２とを連結する右側枠１０３及び左側枠１０４を有している。図２２に示すように、右側枠１０３及び左側枠１０４には、それぞれ外側面に、回動軸１０８、ガイドリブ１０９，１１０、及び突部１１１が外側に向かって突出形成されている。尚、右側枠１０３に形成された突部１１１は図２２には現れていない。
【００８０】
前側枠２０３の裏面には、左右方向中央に、カバー２０２の内外方向（前後方向）に沿って延びる溝部１０６が形成されている。後側枠１０２の後側端部には、凹部１０７が形成されている。
【００８１】
図２１に示すように、カバー２０２は、前側枠２０３の左右両端部が、補助金具７１のロック機構７３が有するロック爪７７ｂと係合することにより、前方（図２１において左手前側）の移動が規制されている。つまり、前側枠２０３の左右両端部は、カバー２０２の移動を規制するロック部として機能する。
【００８２】
そして、前側枠２０３には、溝部１０６とロック部との間に、前側枠２０３の下面から上方に向かって凹設することにより、ドーム状の開錠溝２０４が形成されている。開錠溝２０４は、図２２に示すように、溝部１０６と並行に、即ち、カバー２０２の移動方向に沿って延びるように形成されている。この開錠溝２０４は、カバー２０２のロックを解除するために形成されている。このロック解除は、図２３，２４に示す開錠治具２１０により可能となる。
【００８３】
図２３に示すように、開錠治具２１０の本体部２１１は四角形枠状に形成されている。尚、図２３において、右側端部を後端、左側端部を前端、上側端部を左端、下側端部を右端とする。また、図２３において、紙面おもて面側を上方、裏面側を下方とする。
【００８４】
本体部２１１は、左右の枠部材２１１ａ、２１１ｂが、図２１に示すハウジング１６の右側壁２３の上面及び左側壁２４の上面に当接するように形成されている。
本体部２１１の前後方向中央には、左右の枠部材２１１ａ，２１１ｂを連結する連結部２１２が形成されている。本体部２１１の前端の枠部材２１１ｃには、下方に向かって延びる一対の支持部２１３が形成され、その支持部２１３の下端には爪部２１４がそれぞれ一体的に形成されている。支持部２１３及び爪部２１４は、本体部２１１が図２１に示すハウジング１６の右側壁２３及び左側壁２４の上面に当接した状態で、ハウジング１６に対してロック状態にあるカバー２０２の開錠溝２０４内に挿入可能に形成されている。
【００８５】
本実施形態の爪部２１４は、支持部２１３の下端に一体的に形成されたロック解除部２１５と、そのロック解除部２１５の後端に一体的に形成されたガイド部２１６とを有している。ロック解除部２１５は四角棒状に形成され、先端下部を斜めに切り欠いて形成された斜面２１５ａを有している。この斜面２１５ａは、爪部２１４を開錠溝２０４内に挿入された時にロック機構７３のロックアーム７６と係合し、そのロックアーム７６のロック爪７７ｂがカバー２０２と係合しない位置までロックアーム７６を押し下げるように形成されている。そして、ロック解除部２１５は、カバー２０２を移動させる際に、斜面２１５ａにより押し下げたロックアーム７６を、その押し下げた位置で保持するように形成されている。ガイド部２１６は、カバー２０２のロック解除時に、ロック解除部２１５に先だって開錠溝２０４内に挿入される。従って、開錠溝２０４に挿入されたガイド部２１６は、ロック解除部２１５が開錠溝２０４内にガイドする。
【００８６】
本体部２１１の後端の枠部材２１１ｄと、連結部２１２には、それぞれ下方に突出するガイド部２１７，２１８が形成されている。これらのガイド部２１７，２１８は、左右方向の長さが、図２１に示すカバー２０２の右側枠１０３と左側枠１０４との間の間隔よりもやや短く設定されている。従って、図２５に示すように、開錠治具２１０のガイド部２１７，２１８は枠状に形成されたカバー２０２の枠１０３，１０４間に挿入され、同開錠治具２１０の左右の枠部材２１１ａ，２１１ｂがハウジング１６の壁２３，２４の上面に当接する。そして、開錠治具２１０は、２つのガイド部２１６，２１７により、カバー２０２に対して、そのカバー２０２の前後方向に沿って移動可能となる。そして、この移動可能な状態において、開錠治具２１０に形成された一対の爪部２１４が、カバー２０２に形成された開錠溝２０４に挿入可能に配置される。従って、開錠治具２１０をガイド部２１６，２１７によってカバー２０２の枠１０３，１０４に沿って図２５の右上方に向かって移動させることにより、一対の爪部２１４が、同じく一対の開錠溝２０４に挿入される。
【００８７】
次に、コネクタ２００におけるカバー２０２のロック解除の手順を説明する。
先ず、図２６（ａ）（ｂ）に示すように、ロック状態にあるコネクタ２００に対し、開錠治具２１０をセットする。即ち、図２６（ｂ）に示すように、開錠治具２１０のガイド部２１７，２１８を枠状のカバー２０２の内側に挿入し、図２６（ａ）に示すように、開錠治具２１０の本体部２１１をハウジング１６の壁２３，２４の上面に当接させる。
【００８８】
この状態で、カバー２０２の後端に向かって、つまり図２６（ｂ）の右方向に開錠治具２１０を移動させる。すると、爪部２１４のガイド部２１６が開錠溝２０４に挿入され、このガイド部２１６がロック解除部２１５を開錠溝２０４内に導く。そして、開錠溝２０４内に挿入されたロック解除部２１５は、斜面２１５ａがロックアーム７６に当接すると、上方に移動する。このとき、既に開錠溝２０４内に挿入されたガイド部２１６がドーム状に形成された開錠溝２０４の天井面と当接するため、ロック解除部２１５の上方への移動が規制される。つまり、開錠治具２１０の浮き上がりがガイド部２１６によって防止されるため、作業者は、開錠治具２１０をカバー２０２の後端に向かって移動させるように力を加えるだけでよく、開錠治具２１０をハウジング１６向かって押し付ける力は不要である。
【００８９】
更にロック解除部２１５を開錠溝２０４内に挿入することで、ロックアーム７６が斜面２１５ａに沿って下方へと移動される。やがて、図２７（ｂ）に示すように、ガイド部２１７がカバー２０２の後側枠１０２に当接する。すると、図２７（ａ）に示すように、ロックアーム７６が、そのロックアーム７６に形成されたロック爪７７ｂがカバー２０２と係合しない位置まで押し下げられる。つまり、カバー２０２を前方に移動させることが可能となる。
【００９０】
従って、カバー２０２の後側枠１０２を前側枠１０１の方向に押すと、カバー２０２及び開錠治具２１０が移動する。このとき、ロックアーム７６は、ロック解除部２１５によって押し下げられた位置に保持されているため、カバー２０２にロック爪７７ｂが係合することはない。
【００９１】
以上記述したように、本実施形態によれば、第１実施形態の効果に加え、以下の効果を奏する。
（１）カバー２０２に開錠溝２０４を形成し、その開錠溝２０４に開錠治具２１０の爪部２１４を挿入してロックアーム７６を押し下げるようにした。従って、左右に延びるロックアーム７６を同時に且つ確実に押し下げてカバー２０２のロックを解除することができる。
【００９２】
（２）枠状のカバー２０２の内側に挿入可能なガイド部２１７，２１８を開錠治具２１０に形成したことにより、開錠治具２１０をカバー２０２に沿って前後方向に容易に移動させることができる。
【００９３】
（３）爪部２１４は、ロックアーム７６を押し下げるロック解除部２１５と、そのロック解除部２１５から延びるガイド部２１６を有している。そして、ガイド部２１７，２１８をカバー２０２の内側に挿入した後、ガイド部２１６を開錠溝２０４に挿入することにより、ロック解除部２１５を開錠溝２０４内に案内することができる。
【００９４】
（４）爪部２１４は、カバー２０２に形成した開錠溝２０４の上面に当接することにより上方への移動が規制され、爪部２１４に形成した斜面２１５ａによりロックアーム７６を押し下げる。従って、作業者は開錠治具２１０をカバー２０２の後方へ移動させるように力を加えるだけでよく、操作が容易である。
【００９５】
（５）カバー２０２の内側に挿入したガイド部２１７が、そのカバー２０２の後側枠１０２に当接するようにした。従って、カバー２０２のロックを解除したのちは、カバー２０２を前方へと押すことにより、カバー２０２及び治具２１０が前方へと移動する。従って、カバー２０２と開錠治具２１０とを扱う必要がなく、操作が容易である。
【００９６】
（第３実施形態）
以下、本発明を具体化した第３実施形態を図面に従って説明する。
尚、第１，第２実施形態と同じの構成部分については同一符号を付し、その部分の説明の全て又は一部を省略する。
【００９７】
図２８に示すように、本実施形態のコネクタ３００は、上方が開口する長箱状に形成されたハウジング３０１と、ハウジング３０１内に配置されたＩＣカード１３（図２参照）を覆蓋するカバー３０２とを有している。ハウジング３０１及びカバー３０２は、絶縁性の材料（例えば、合成樹脂）よりなる。
【００９８】
先ず、ハウジング３０１について説明する。
図３０に示すように、ハウジング３０１の底部３１１には、その底部３１１の左右方向（図３における上下方向）両端に、ハウジング３０１の前後方向（図３０における左右方向）に沿って延びる右側壁３１２及び左側壁３１３が立設されている。右側壁３１２及び左側壁３１３は、両側壁３１２，３１３間にＩＣカード１３（図２参照）が挿入可能に形成されるとともに、そのＩＣカード１３の左右方向の移動を規制するように形成されている。
【００９９】
右側壁３１２及び左側壁３１３の後方側端部は、それぞれ内側に向かって突出する規制部３１２ａ，３１３ａが形成されている。これらの規制部３１２ａ，３１３ａは、側壁３１２，３１３間に挿入されるＩＣカード１３の前後方向の位置決めを行うように形成されている。
【０１００】
また、ハウジング３０１の前方（図３０における右側）には、右側壁３１２と左側壁３１３との前方を連結するように前側壁３１４が立設されるとともに、ハウジング３０１の後方（図３０における左側）には、右側壁３１２と左側壁３１３の後側端部を連結するように後側壁３１５が立設されている。右側壁３１２及び左側壁３１３は、ハウジング３０１の上下方向（図３０における紙面直交方向）に沿って同じ長さ（高さ）に形成されるとともに、後側壁３１５は、右側壁３１２及び左側壁３１３よりも低く形成されている。さらに、前側壁３１４は、後側壁３１５よりも低く形成されている。そして、ハウジング３０１内には、右側壁３１２、左側壁３１３、前側壁３１４及び後側壁３１５に囲まれ、ＩＣカード１３を収容する収納部２７が形成されている。収納部２７には、ＩＣカード１３が上下方向と直交した状態（底部３１１と平行な状態）で収納される。
【０１０１】
ハウジング３０１の底部３１１には、矩形状をなすとともに上下方向に貫通した複数（本実施形態では２つ）の貫通孔２８が前後方向に所定間隔をおいて形成されている。底部３１１の上面には、ＩＣカード１３の接続端子１４と対応して上方に開口したコンタクト収容溝３５が形成されている。各コンタクト収容溝３５は、それぞれ前後方向に沿って延びるように形成されるとともに、貫通孔２８側及び上方及び前後方向両側が開口するように形成されている。さらに、底部３１１の貫通孔２８側端部には、各コンタクト収容溝３５に対応した位置に、底部３１１の上下方向両側に開口し、コンタクト１７を保持するコンタクト保持溝３６が形成されている。
【０１０２】
そして、前側部３０の前側端部には、左右方向に所定間隔を空けて配置された一対の保持溝３８が形成されている。また、前側壁３１４の左右方向両端部には、左右方向に沿ったスリット３９が形成されている。
【０１０３】
右側壁３１２の内側面には３つの案内溝３２１ａ，３２１ｂ，３２１ｃが形成されている。各案内溝３２１ａ〜３２１ｃは、第１実施形態の第２案内溝４２と同様に形成されている。従って、各案内溝３２１ａ〜３２１ｃは、図示はしないが、右側壁３１２の上面に開口し上下方向に沿った垂直溝と、該垂直溝の後側端部にそれぞれ連続し後方斜め下方に向かって延びる傾斜溝と、該傾斜溝に連続し前後方向に延びる水平溝とを備えている。左側壁３１３の内側面には３つの案内溝３２２ａ，３２２ｂ，３２２ｃが形成されている。これらの案内溝３２２ａ〜３２２ｃは、右側壁３１２に形成された案内溝３２１ａ〜３２１ｃと対称に形成されている。さらに、右側壁３１２及び左側壁３１３の内側上端は、斜めに切り欠いて斜面３２３，３２４がそれぞれ形成されている。右側壁３１２の後方上面には、マーク３１６が形成されている。
【０１０４】
そして、本実施形態の右側壁３１２及び左側壁３１３は、第１実施形態の側壁２３，２４内に形成された係止部材５３，６１を有していない。従って、本実施形態の側壁３１２，３１３は、係止部材を有していない分、第１実施形態の側壁２３，２４に比べて左右方向の厚さが薄く形成されている。従って、本実施形態のハウジング３０１は、第１実施形態のハウジング１６よりも左右方向の寸法が小さく形成されている、即ち、プリント基板に対する占有面積が小さく形成されている。
【０１０５】
図２８に示すように、ハウジング３０１には、補助金具３５１が固定されている。本実施形態において、ハウジング３０１がカバー３０２を回動可能に支持しないため、本実施形態の補助金具３５１は、第１実施形態の補助金具７１における軸受け機構７４が省略されている。即ち、図３１に示すように、補助金具３５１は、同補助金具３５１をハウジング３０１に固定するための固定部７２と、カバー３０２の移動を規制するためのロック機構７３とを有している。
【０１０６】
ロック機構７３は、固定部７２に接続されてハウジング３０１の最尤方向中央に固定されたロック支持部７５を備えている。ロック支持部７５は、その左右方向両端部からそれぞれハウジング３０１の左右方向端部側に延び、上下方向に弾性変形可能な一対のロックアーム７６を支持する。各ロックアーム７６は、ロック支持部７５から斜め上方に向かって延びる傾斜部７７ａと、その傾斜部７７ａの先端部に形成されたロック爪７７ｂとを有している。ロックアーム７６の先端部には、下方に向かって延び、前側壁３１４の上端に形成されたスリット３９に挿入される補強部７８が形成されている。さらに、ロック支持部７５の後端には、上方に延びてから後方に折り曲げられ、収納部２７内に配置される位置合わせ部７９が形成されている。この位置合わせ部７９により、収納部２７の前後方向の長さが規定されてＩＣカード１３が収納部２７内の所定位置に収容される。
【０１０７】
図２８に示すように、ハウジング３０１には、複数のコンタクト３６１が取着されている。各コンタクト３６１は、第１実施形態と同様に、ハウジング３０１の底部３１１に形成されたコンタクト収容溝３５及びコンタクト保持溝３６（図３０参照）に挿入及び圧入されている。
【０１０８】
図３２に示すように、コンタクト３６１は、プリント基板上のパターンに半田付けされる基端部９１と、基端部９１から上方に延びる固定部９２と、固定部９２の上端から該固定部９２と直交する方向に延びるアーム部９３と、アーム部９３の先端に形成され接触部９４とを備えている。アーム部９３は、固定部９２と直交する方向に延びてから略Ｕ字上に折り返されて斜め上方に延び、その先端が上下方向に変位可能に形成されている。接触部９４は、上方に向かって凸な円弧状に形成されている。
【０１０９】
次に、カバー３０２について説明する。
図２９（ａ）に示すように、カバー３０２は矩形枠状に形成されている。図２９（ａ）における左右方向を前後方向、図２９（ａ）における上下方向を左右方向とする。つまり、カバー３０２は、前側枠３３１、後側枠３３２、右側枠３３３、及び左側枠３３４を有している。
【０１１０】
図２９（ｂ）に示すように、前側枠３３１及び後側枠３３２の左右方向中央には、それぞれ下面から上方に向かって切り欠くことにより前後方向に沿って延びる溝部３３５が形成されている。その溝部３３５の左右両側には、第２実施形態と同様に、下面から上方に向かって切り欠くことにより前後方向に沿って延びる開錠溝３３６が形成されている。
【０１１１】
図２９（ａ）に示すように、右側枠３３３には、その外側面から突出する３つのガイドリブ３３７ａ，３３７ｂ，３３７ｃが形成されている。各ガイドリブ３３７ａ〜３３７ｃは、ハウジング３０１の右側壁３１２に形成された案内溝３２１ａ〜３２１ｃに挿入可能に形成されている。同様に、左側枠３３４には３つのガイドリブ３３８ａ，３３８ｂ，３３８ｃが形成されている。また、右側枠３３３の外側面上端には、前後方向に沿って延びる複数の突部３３９が形成されている。同様に、左側枠３３４には複数の突部３４０が形成されている。
【０１１２】
図２９（ａ）に示すように、カバー３０２の右側枠３３３の後端上面にはマーク３４１が形成されている。更に、そのマーク３４１が形成された角部と対角の角部、即ち左側枠３３４の前端上面にはマーク３４２が形成されている。
【０１１３】
本実施形態において、カバー３０２は、前後方向に沿った軸に対して線対称に形成されると共に、左右方向に沿った軸に対して線対称に形成されている。つまり、本実施形態のカバー３０２は、中心を回転軸とする点対称にも形成されている。
【０１１４】
上記のように構成されたコネクタ３００において、図２に示すＩＣカード１３を装着するときの動作及び作用は第１実施形態と同じである。そして、ＩＣカード１３を取り外すときの動作及び作用は第２実施形態と同じである。
【０１１５】
更に、本実施形態では、カバー３０２が点対称な形状に形成されている。従って、ハウジング３０１にカバー３０２を装着する際に、カバー３０２の上面に形成された２つのマーク３４１，３４２（図２９（ａ）参照）の何れか一方を、ハウジング３０１に形成されたマーク３１６と合わせるようにカバー３０２を装着すればよい。従って、カバー３０２の方向の確認を短時間で行うことができるため、作業性がよい。
【０１１６】
なお、上記各実施形態は、以下のように変更してもよい。
・上記実施形態では、カバー１８に２対のガイドリブ１０９，１１０を形成したが、これに限らず、ガイドリブは一対でもよく、また三対以上形成してよい。なお、これに応じた数の第２案内溝をハウジング１６に形成する。
【０１１７】
・上記実施形態では、カバー１８が回動位置に位置する状態で、該カバー１８と収納部２７に収容されたＩＣカード１３と当接しないよう第１案内溝４１を形成したが、これに限らず、カバー１８とＩＣカード１３とが当接するようにしてもよい。
【０１１８】
・上記実施形態では、ロック機構７３は、ロック支持部７５と、ロックアーム７６と、ロックアーム７６と備えたが、これに限らず、カバー１８が第１傾斜溝４５及び第２傾斜溝４９，５０側に向かって移動することを規制できれば、どのように構成してもよい。例えばロックアーム７６はロック爪７７ｂを有さずともよく、傾斜部７７ａがカバー１８に係止するようにしてもよい。また、ロックアーム７６を、軸受けアーム８１のように、直立部と水平部とから構成してもよい。
【０１１９】
・上記実施形態では、軸受け機構７４は、軸受け支持部８０と、軸受けアーム８１と、軸受け部８３と、規制突部８４とを備えたが、回動軸１０８を移動により規制突部８４が上下方向に移動すれば、どのように構成してもよい。例えば、水平部８２ｂをハウジング１６の左右方向端部側に向かうにつれて上方に傾斜するように形成してもよい。また、軸受け支持部８０をプリント基板１２に固定せず、軸受け支持部８０をプリント基板１２から宙に浮いた状態にした場合には、直立部８２ａを省略し軸受けアーム８１を水平部８２ｂのみから構成してもよい。このように、軸受け支持部８０は、プリント基板１２上に固定されず、プリント基板１２から宙に浮いた状態としてもよい。
【０１２０】
・上記実施形態では、軸受け支持部８０をプリント基板１２上に半田付けしたが、これに限らず、ロック支持部７５をプリント基板１２上に半田付けするようにしてもよい。また、ロック支持部７５及び軸受け支持部８０以外にハウジング１６に固定され、プリント基板１２上に半田付けされる半田付け部を独立して設けてもよい。
【０１２１】
・上記実施形態では、第２垂直溝４８内に係止部材６１を設けたが、これに限らず、係止部材６１を設けずに第２垂直溝４７と同様に形成してもよい。また、第２垂直溝４７内に係止部材を設けて第２垂直溝４８と同様に形成してもよい。
【０１２２】
・上記実施形態では、カバー１８が上下方向と直交した状態で第１案内溝４１及び第２案内溝４２，４３に沿って移動するようにしたが、これに限らず、上下方向と傾斜した状態で第１案内溝４１及び第２案内溝４２，４３に沿って移動するようにしてもよい。
【０１２３】
・上記実施形態では、ハウジング１６の右側壁２３及び左側壁２４に第１案内溝４１及び第２案内溝４２，４３を形成したが、これに限らず、カバー１８の右側枠１０３及び左側枠１０４に第１及び第２案内溝を形成してもよい。なお、この場合には、第１案内溝は、ハウジングの前方に形成された回動軸を回動可能に支持する支持部と、該支持部と連続しカバーの前方に向かうにつれて上方に向かって延びる第１傾斜溝と、該第１傾斜溝と連続しハウジングの前後方向に延びる第１水平溝とを有して構成される。また、第２案内溝は、カバーの下端に開口する挿入部と、該挿入部と連続しカバーの前方に向かうにつれて上方に向かって延びる第２傾斜溝と、該第２傾斜溝と連続しハウジングの前後方向に延びる第２水平溝とを有して構成される。さらに、右側壁及び左側壁と収納部との間に間隔を空けることで、ハウジングに形成される回動軸及びガイドリブが収納部内に突出しないようにすることが好ましい。
【０１２４】
そして、カバー１８の右側枠１０３及び左側枠１０４に第１及び第２案内溝を形成した場合に、右側枠及び左側枠にカバーの下方に開口する垂直溝を形成し、該垂直溝内に係止爪を有する係止部材を左右方向に弾性変形可能に設けるとともに、係止爪の上方にハウジングに形成された回動軸を回動可能に支持する支持部が設けてもよい。
【０１２５】
・上記実施形態では、第１案内溝４１に第１垂直溝４４内に係止部材５３を設けたが、これに限らず、係止部材６１を設けずに第２案内溝４２と同様に形成してもよい。
・上記実施形態では、カバー１８をハウジング１６に対して着脱できるようにしたが、これに限らず、第１案内溝４１に第１垂直溝４４を形成せずに、カバー１８をハウジング１６に着脱不能に設けてもよい。
【０１２６】
・上記実施形態に対し、治具の形状を適宜変更してもよい。
例えば、図３３（ａ）に示すように、開錠治具４００を形成する。この開錠治具４００は、左右の枠部材２１１ｃ，２１１ｄの端部から下方に向かって延びるガイド部４０１，４０２を有している。図３３（ｂ）に示すように、ガイド部４０１，４０２は、ハウジング１６の側壁２３，２４の外側に配置され、ハウジング１６の側壁２３，２４に沿って開錠治具４００を案内する。
【０１２７】
また、図３４（ａ）〜（ｃ）に示すように、開錠治具４１０を形成する。この開錠治具４１０は、図３３に示す開錠治具４００の構成に加え、把持部４１１及びカバー押出部４１２を有している。図３４（ｂ）に示すように、把持部４１１は、本体部２１１の後端（図において右側端部）から斜め上方に向かって延びるように形成されている。その把持部４１１の上方には、カバー押出部４１２が本体部２１１に向かって延びるように形成されている。カバー押出部４１２は、本体部２１１に向かって延び弾性変形可能な支持部４１３と、支持部４１３の下端に形成され、支持部４１３の弾性変形によりカバー（例えば第２実施形態の場合はカバー２０２）の後側枠と係合可能に形成された押し爪４１４とを有している。
【０１２８】
作業者は、上記のように構成された開錠治具４１０の把持部４１１を把持し、本体部２１１をコネクタに当接した後、後方（図３４（ｂ）の右側）に向かって開錠治具４１０を移動させる。すると、開錠治具４１０に備えた爪部２１４がロックアームを押し下げることにより、カバーのロックが解除される。その後、カバー押出部４１２の支持部４１３を弾性変形させて押し爪４１４をカバーに係合させる。その状態で、前方（図３４（ｂ）の左側）に向かって開錠治具４１０を移動させる。すると、開錠治具４１０によってカバーがロック爪を越えて後方へと移動する。
【０１２９】
即ち、作業者は、開錠治具４１０をハウジングに沿って移動させ、押し爪４１４を押し下げた後、開錠治具４１０を移動させるだけで、カバーのロック解除とカバーの移動とを行うことができる。
【０１３０】
また、図３５（ａ）〜（ｃ）及び図３６（ａ）（ｂ）に示すように、開錠治具４２０を形成する。この開錠治具４２０の本体部４２１は、直方体状に形成され、その上面にはノブ４２２が取着されている。本体部４２１には、下面前端から下方に向って延びる１つの支持部４２３が形成され、その支持部４２３の左右両端には第２実施形態と同様の爪部２１４が形成されている。図３５（ｂ）に示すように、本体部４２１には、下面中央にガイド部４２４が形成されている。このガイド部４２４は、直方体状に形成されるとともに、第２実施形態のガイド部２１７，２１８と同様にカバーの内側に挿入可能に形成されている。このガイド部４２４により、作業者は開錠治具４２０をカバーの前後方向に沿って移動させることができる。
【０１３１】
本体部４２１は、後側面に、上下方向に沿って延びる収容溝４２５が凹設されるとともに、カバー部材４２６が図示しないネジにより固定されている。収容溝４２５には、押し爪４２７が上下方向に移動自在に収容されている。図３６（ｂ）に示すように、この押し爪４２７は矩形枠状に形成され、その枠内には図３６（ａ）に示すように本体部４２１に固定された固定ピン４２８が挿通されている。図３６（ｂ）に示すように、押し爪４２７の枠内には、固定ピン４２８と下部材４２７ａとの間にバネ４２９が圧縮状態で挿入されている。従って、押し爪４２７は、バネ４２９の弾性力により下方に向って付勢され、上部材４２７ｂが収容溝４２５に形成された段差部４２５ａに当接することにより、下部材４２７ａが本体部４２１の下面から突出する突出量が設定されている。尚、この突出量は、コネクタのカバーのみを移動可能なように設定されている。
【０１３２】
上記のように構成された開錠治具４２０を、第２実施形態のコネクタ２００に対して使用する場合を説明する。尚、第３実施形態のコネクタ３００に対しても使用が可能である。
【０１３３】
先ず、図３５（ｂ）に示すように、開錠治具４２０のガイド部４２４をカバー２０２の内側に挿入する。この時、押し爪４２７は、その下面がカバー２０２の上面に当接し、ガイド部４２４の挿入によって上方へと移動する。この状態でｈ、開錠治具４２０をカバー２０２の後方、即ち図３５（ｂ）の右方へ移動させると、第２実施形態の開錠治具２１０と同様に、爪部２１４がロックアーム（図示略）を押し下げる。そして、図３６（ａ）に示すように、ガイド部４２４がカバー２０２の後側枠１０２に当接すると、爪部２１４がカバー２０２のロックを解除する。この時、押し爪４２７がバネ４２９の弾性力により本体部４２１の下面から突出する。この状態で開錠治具４２０をカバー２０２の前方へ移動させると、押し爪４２７がカバー２０２と係合し、このカバー２０２を前方へと移動させる。
【０１３４】
即ち、本実施形態の開錠治具４２０は、作業者がこの開錠治具４２０をカバー２０２の後方へ移動させた後、カバー２０２の前方へと移動させる操作のみで、カバー２０２のロック解除とカバー２０２の移動とを行うことができる。つまり、上記実施形態に比べてより少ない操作量でカバーを取り外すことができる。
【０１３５】
・上記各実施形態では、開錠治具の爪部を四角形棒状に形成したが、断面形状を円形等の任意の形状に変更してもよい。
・上記各実施形態では、爪部２１４にガイド部２１６を設けたが、ガイド部２１６を省略してもよい。
【図面の簡単な説明】
【０１３６】
【図１】コネクタの斜視図。
【図２】ＩＣカードの底面図。
【図３】ハウジングの平面図。
【図４】図３のＡ−Ａ線断面図。
【図５】図３のＢ−Ｂ線断面図。
【図６】図３のＣ−Ｃ線断面図。
【図７】補助金具の斜視図。
【図８】補助金具が設けられたハウジングの正面図。
【図９】補助金具が設けられたハウジングの一部平面図。
【図１０】図９のＤ−Ｄ線断面図。
【図１１】コンタクトの斜視図。
【図１２】コンタクトの右側面図。
【図１３】コンタクトが設けられたコネクタの一部断面図。
【図１４】カバーの底面図。
【図１５】カバーの回動状態を示す動作説明図。
【図１６】（ａ）〜（ｃ）コネクタの製造手順を示す説明図。
【図１７】（ａ）〜（ｃ）ＩＣカードの装着手順を示す動作説明図。
【図１８】ロック状態を示すコネクタの正面図。
【図１９】ＩＣカードを装着した後のコネクタの一部断面図。
【図２０】コンタクトの弾性変形を示す模式図。
【図２１】別のコネクタの斜視図。
【図２２】カバーの斜視図。
【図２３】治具の平面図。
【図２４】治具の側面図。
【図２５】コネクタ及び治具の斜視図。
【図２６】コネクタ及び治具の（ａ）側面図、（ｂ）断面図。
【図２７】コネクタ及び治具の（ａ）側面図、（ｂ）断面図。
【図２８】別のコネクタの斜視図。
【図２９】カバーの（ａ）平面図，（ｂ）裏面図。
【図３０】ハウジングの平面図。
【図３１】補助金具の斜視図。
【図３２】コンタクトの斜視図。
【図３３】（ａ）別の治具の斜視図、（ｂ）コネクタ及び治具の側面図。
【図３４】別の治具の（ａ）平面図、（ｂ）側断面図、（ｃ）側面図。
【図３５】別の治具の（ａ）側面図、（ｂ）側断面図。
【図３６】図３５の治具の（ａ）側断面図、（ｂ）側面図。
【符号の説明】
【０１３７】
１１，２００，３００…コネクタ、１２…プリント基板、１３…ＩＣカード、１４…接続端子、１６，３０１…ハウジング、１７，３６１…コンタクト、１８，２０２，３０２…カバー、２２，３１１…底部、２７…収納部、３６…コンタクト保持溝、３９…スリット、４１…第１案内溝、４２，４３…第２案内溝、４４…第１垂直溝、４５…第１傾斜溝、４６…第１水平溝、４７，４８…第２垂直溝、４９，５０…第２傾斜溝、５１，５２…第２水平溝、５３，６１…係止部材、５４，６２…係止爪、５５，６３…上面、５６，６４…下面、５７…支持部、６０，６５…支持壁、７２，９２…固定部、７３…ロック機構、７４…軸受け機構、７５…ロック支持部、７６…ロックアーム、７８…補強部、８０…軸受け支持部、８１…軸受けアーム、８３…軸受け部、８４…規制突部、９１…基端部、９３…アーム部、９４…接触部、１０８…回動軸、１０９，１１０，３３７ａ〜３３７ｃ，３３８ａ〜３３８ｃ…ガイドリブ、２１０，４００，４１０，４２０…開錠治具、２１４…爪部、３２１ａ〜３２１ｃ，３２２ａ〜３２２ｃ…案内溝、４２７…押し爪。
【図１】
0005188917.tif 000002
【図２】
0005188917.tif 000003
【図３】
0005188917.tif 000004
【図４】
0005188917.tif 000005
【図５】
0005188917.tif 000006
【図６】
0005188917.tif 000007
【図７】
0005188917.tif 000008
【図８】
0005188917.tif 000009
【図９】
0005188917.tif 000010
【図１０】
0005188917.tif 000011
【図１１】
0005188917.tif 000012
【図１２】
0005188917.tif 000013
【図１３】
0005188917.tif 000014
【図１４】
0005188917.tif 000015
【図１５】
0005188917.tif 000016
【図１６】
0005188917.tif 000017
【図１７】
0005188917.tif 000018
【図１８】
0005188917.tif 000019
【図１９】
0005188917.tif 000020
【図２０】
0005188917.tif 000021
【図２１】
0005188917.tif 000022
【図２２】
0005188917.tif 000023
【図２３】
0005188917.tif 000024
【図２４】
0005188917.tif 000025
【図２５】
0005188917.tif 000026
【図２６】
0005188917.tif 000027
【図２７】
0005188917.tif 000028
【図２８】
0005188917.tif 000029
【図２９】
0005188917.tif 000030
【図３０】
0005188917.tif 000031
【図３１】
0005188917.tif 000032
【図３２】
0005188917.tif 000033
【図３３】
0005188917.tif 000034
【図３４】
0005188917.tif 000035
【図３５】
0005188917.tif 000036
【図３６】
0005188917.tif 000037